(57)【要約】  端末から受信されるスモールセルに対する第１測定報告メッセージに基づいて、スモールセルとの接続を活性化すると決定し、スモールセルがマクロセルのセルＩＤと異なるセルＩＤを有する場合、スモールセルに端末との接続を活性化することを指示するメッセージを送信し、スモールセルから、端末のためのスケジューリングを行うことを示すメッセージを受信し、端末に、スモールセルとの接続を活性化することを指示する、スモールセルとの接続管理方法及びマクロセル基地局を提供する。【選択図】図１０
2016518066.tif 000002
【特許請求の範囲】
【請求項１】
マクロセル（ｍａｃｒｏ  ｃｅｌｌ）とスモールセル（ｓｍａｌｌ  ｃｅｌｌ）が共存する異種（ｈｅｔｅｒｏｇｅｎｅｏｕｓ）セル環境でマクロセルが二重接続性（ｄｕａｌ  ｃｏｎｎｅｃｔｉｖｉｔｙ）を有する端末のスモールセルとの接続を管理する方法であって、
前記端末から、前記端末に接続されたスモールセルに対する第１測定報告メッセージを受信するステップと、
前記第１測定報告メッセージに基づいて前記スモールセルとの接続を活性化すると決定するステップと、
前記スモールセルがマクロセルのセルＩＤと異なるセルＩＤを有する場合、前記スモールセルに、前記端末との接続を活性化することを指示するＳＣｅｌｌ活性化指示子メッセージ（ＳＣｅｌｌ  ａｃｔｉｖａｔｉｏｎ  ｉｎｄｉｃａｔｏｒ  ｍｅｓｓａｇｅ）を送信するステップと、
前記スモールセルから、前記端末のためのスケジューリングを行うことを示すＳＣｅｌｌ活性化応答メッセージを受信するステップと、
前記端末に前記スモールセルとの接続を活性化することを指示するステップと、
を有する、接続管理方法。
【請求項２】
前記端末から前記第１測定報告メッセージを受信する前に、前記端末から受信する前記スモールセルに対する第２測定報告メッセージに基づいて、前記端末に前記スモールセルとの接続を追加すると決定するステップと、
前記端末との接続のための情報を含む二重接続性情報メッセージ（ｄｕａｌ  ｃｏｎｎｅｃｔｉｖｉｔｙ  ｉｎｆｏｒｍａｔｉｏｎ  ｍｅｓｓａｇｅ）を前記スモールセルに送信するステップと、
前記スモールセルから、前記端末を支援することを承認する二重接続性応答メッセージ（ｄｕａｌ  ｃｏｎｎｅｃｔｉｖｉｔｙ  ｒｅｓｐｏｎｓｅ  ｍｅｓｓａｇｅ）を受信すると、前記端末に前記スモールセルとの接続を指示するＲＲＣ設定メッセージ（Ｒａｄｉｏ  Ｒｅｓｏｕｒｃｅ  Ｃｏｎｔｒｏｌ  ｃｏｎｆｉｇｕｒａｔｉｏｎ  ｍｅｓｓａｇｅ）を送信するステップと、
をさらに有する、請求項１に記載の接続管理方法。
【請求項３】
前記スモールセルとの接続を活性化した後に、前記端末からの前記活性化されたスモールセルに対する第３測定報告メッセージに基づいて、前記スモールセルとの接続を非活性化すると決定するステップと、
前記端末との接続を非活性化することを指示するＳＣｅｌｌ非活性化指示子メッセージ（ＳＣｅｌｌ  ｄｅａｃｔｉｖａｔｉｏｎ  ｉｎｄｉｃａｔｏｒ  ｍｅｓｓａｇｅ）を前記スモールセルに送信するステップと、
前記スモールセルから受信するＳＣｅｌｌ非活性化応答メッセージによって、前記端末に前記スモールセルとの接続を非活性化することを指示するステップと、
をさらに有する、請求項１に記載の接続管理方法。
【請求項４】
前記スモールセルとの接続を非活性化した後に、前記端末に接続された他のスモールセルと前記端末との接続を活性化するステップをさらに有する、請求項３に記載の接続管理方法。
【請求項５】
前記スモールセルとの接続を活性化した後に、前記端末からの前記活性化されたスモールセルに対する第４測定報告メッセージに基づいて、前記スモールセルとの接続を解除すると決定するステップと、
前記端末のためのスケジューリングを中断することを指示するＳＣｅｌｌ解除指示子メッセージ（ＳＣｅｌｌ  ｒｅｌｅａｓｅ  ｉｎｄｉｃａｔｏｒ  ｍｅｓｓａｇｅ）を前記スモールセルに送信するステップと、
前記スモールセルから受信するＳＣｅｌｌ解除応答メッセージによって、前記端末に前記スモールセルとの接続を解除することを指示するＲＲＣ設定メッセージを送信するステップと、
をさらに有する、請求項１に記載の接続管理方法。
【請求項６】
前記送信するステップ及び前記受信するステップは、
前記スモールセルから所定の時間区間で前記ＳＣｅｌｌ活性化応答メッセージを受信しないと、既に設定された送信最大回数に到達したり、又は前記スモールセルから前記ＳＣｅｌｌ活性化応答メッセージを受信するまで、前記ＳＣｅｌｌ活性化指示子メッセージを所定の間隔で再送信するステップをさらに有する、請求項１に記載の接続管理方法。
【請求項７】
前記指示するステップは、前記端末にＭＡＣ（Ｍｅｄｉａ  Ａｃｃｅｓｓ  Ｃｏｎｔｒｏｌ）制御要素を送信するステップを有し、
前記ＳＣｅｌｌ活性化指示子メッセージ及び前記ＭＡＣ制御要素は、前記スモールセルが活性化される時点に関する情報を含む、請求項１に記載の接続管理方法。
【請求項８】
マクロセル（ｍａｃｒｏ  ｃｅｌｌ）とスモールセル（ｓｍａｌｌ  ｃｅｌｌ）が共存する異種（ｈｅｔｅｒｏｇｅｎｅｏｕｓ）セル環境で二重接続性（ｄｕａｌ  ｃｏｎｎｅｃｔｉｖｉｔｙ）を有する端末のスモールセルとの接続を管理するマクロセル基地局であって、
送信部と、
受信部と、
前記送信部及び前記受信部と接続して端末のスモールセルとの接続を管理するプロセッサと、
を備え、
前記プロセッサは、
前記端末から前記端末に接続された前記スモールセルに対する第１測定報告メッセージを受信するように前記受信部を制御し、
前記第１測定報告メッセージに基づいて前記スモールセルとの接続を活性化すると決定し、
前記スモールセルがマクロセルのセルＩＤと異なるセルＩＤを有する場合、前記スモールセルに、前記端末との接続を活性化することを指示するＳＣｅｌｌ活性化指示子メッセージ（ＳＣｅｌｌ  ａｃｔｉｖａｔｉｏｎ  ｉｎｄｉｃａｔｏｒ  ｍｅｓｓａｇｅ）を送信するように前記送信部を制御し、
前記スモールセルから前記端末のためのスケジューリングを行うことを示すＳＣｅｌｌ活性化応答メッセージを受信するように前記受信部を制御し、
前記端末に前記スモールセルとの接続を活性化することを指示する、基地局。
【請求項９】
前記プロセッサは、
前記端末から前記第１測定報告メッセージを受信する前に、前記端末から受信する前記スモールセルに対する第２測定報告メッセージに基づいて、前記端末に前記スモールセルとの接続を追加すると決定し、
前記端末との接続のための情報を含む二重接続性情報メッセージ（ｄｕａｌ  ｃｏｎｎｅｃｔｉｖｉｔｙ  ｉｎｆｏｒｍａｔｉｏｎ  ｍｅｓｓａｇｅ）を前記スモールセルに送信するように前記送信部を制御し、
前記スモールセルから前記端末を支援することを承認する二重接続性応答メッセージ（ｄｕａｌ  ｃｏｎｎｅｃｔｉｖｉｔｙ  ｒｅｓｐｏｎｓｅ  ｍｅｓｓａｇｅ）を受信すると、前記端末に前記スモールセルとの接続を指示するＲＲＣ設定メッセージ（Ｒａｄｉｏ  Ｒｅｓｏｕｒｃｅ  Ｃｏｎｔｒｏｌ  ｃｏｎｆｉｇｕｒａｔｉｏｎ  ｍｅｓｓａｇｅ）を送信するように前記送信部を制御する、請求項８に記載の基地局。
【請求項１０】
前記プロセッサは、
前記スモールセルとの接続を活性化した後に、前記端末からの前記活性化されたスモールセルに対する第３測定報告メッセージに基づいて前記スモールセルとの接続を非活性化すると決定し、
前記端末との接続を非活性化することを指示するＳＣｅｌｌ非活性化指示子メッセージ（ＳＣｅｌｌ  ｄｅａｃｔｉｖａｔｉｏｎ  ｉｎｄｉｃａｔｏｒ  ｍｅｓｓａｇｅ）を前記スモールセルに送信するように前記送信部を制御し、
前記スモールセルから受信するＳＣｅｌｌ非活性化応答メッセージによって、前記端末に前記スモールセルとの接続を非活性化することを指示する、請求項８に記載の基地局。
【請求項１１】
前記プロセッサは、
前記スモールセルとの接続を非活性化した後に、前記端末に接続された他のスモールセルと前記端末との接続を活性化する、請求項１０に記載の基地局。
【請求項１２】
前記プロセッサは、
前記スモールセルとの接続を活性化した後に、前記端末からの前記活性化されたスモールセルに対する第４測定報告メッセージに基づいて前記スモールセルとの接続を解除すると決定し、
前記端末のためのスケジューリングを中断することを指示するＳＣｅｌｌ解除指示子メッセージ（ＳＣｅｌｌ  ｒｅｌｅａｓｅ  ｉｎｄｉｃａｔｏｒ  ｍｅｓｓａｇｅ）を前記スモールセルに送信するように前記送信部を制御し、
前記スモールセルから受信するＳＣｅｌｌ解除応答メッセージによって、前記端末に前記スモールセルとの接続を解除することを指示するＲＲＣ設定メッセージを送信するように前記送信部を制御する、請求項８に記載の基地局。
【請求項１３】
前記プロセッサは、
前記スモールセルから所定の時間区間で前記ＳＣｅｌｌ活性化応答メッセージを受信しないと、既に設定された送信最大回数に到達したり、又は前記スモールセルから前記ＳＣｅｌｌ活性化応答メッセージを受信するまで、前記ＳＣｅｌｌ活性化指示子メッセージを所定の間隔で再送信するように前記送信部を制御する、請求項８に記載の基地局。
【請求項１４】
前記プロセッサは、
前記端末にＭＡＣ（Ｍｅｄｉａ  Ａｃｃｅｓｓ  Ｃｏｎｔｒｏｌ）制御要素を送信するように前記送信部を制御し、
前記ＳＣｅｌｌ活性化指示子メッセージ及び前記ＭＡＣ制御要素は、前記スモールセルが活性化される時点に関する情報を含む、請求項８に記載の基地局。
【発明の詳細な説明】
【技術分野】
【０００１】
本発明は、マクロセル及びスモールセルが共存する異種セル環境で端末とスモールセルとの接続を管理する方法に関する。
【背景技術】
【０００２】
無線アクセスネットワーク（Ｒａｄｉｏ  Ａｃｃｅｓｓ  Ｎｅｔｗｏｒｋ、ＲＡＮ）構造が、ピコセル（ｐｉｃｏ  ｃｅｌｌ）、フェムトセル（ｆｅｍｔｏ  ｃｅｌｌ）などの種々のスモールセル（ｓｍａｌｌ  ｃｅｌｌ）がマクロセル（ｍａｃｒｏ  ｃｅｌｌ）と連動する形態に変化している。このような無線アクセスネットワーク構造とは、従来のマクロセルベースの同種（ｈｏｍｏｇｅｎｅｏｕｓ）ネットワークに加えて、低電力／近距離通信のためのスモールセルが混在する階層的（ｈｉｅｒａｒｃｈｉｃａｌ）セル構造又は異種（ｈｅｔｅｒｏｇｅｎｅｏｕｓ）セル構造を意味する。
【０００３】
複雑化する都心の環境で従来のようにマクロセル基地局を追加設置することは非効率的である。通信環境における陰影地域などから、マクロセルの追加設置による費用及び複雑度の増加といった短所が、システム収率の向上といった長所より遥かに大きいからである。このため、新しい異種セル構造では、マクロセル内に複数のスモールセルが共存し、これらのスモールセルは、セル指定（ｃｅｌｌ  ｃｏｏｒｄｉｎａｔｉｏｎ）方式によって割り当てられるリソースで端末にサービスを提供する。このような異種セル構造はも最終ユーザに高いデータ伝送率を提供することによって体感品質（Ｑｕａｌｉｔｙ  ｏｆ  Ｅｘｐｅｒｉｅｎｃｅ、ＱｏＥ）を増進することを目的とする。
【０００４】
３ＧＰＰ（３ｒｄ  Ｇｅｎｅｒａｔｉｏｎ  Ｐａｒｔｎｅｒｓｈｉｐ  Ｐｒｏｊｅｃｔ）標準化範ちゅうの一つであるＥ−ＵＴＲＡ及びＥ−ＵＴＲＡＮ ＳＩのためのスモールセル向上（Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ  ＳＩ（Ｓｔｕｄｙ  Ｉｔｅｍ））では、低電力ノードを使用する室内／室外（ｉｎｄｏｏｒ／ｏｕｔｄｏｏｒ）シナリオを向上させるための議論がなされており、それらのシナリオと要求事項が３ＧＰＰ  ＴＲ  ３６．９３２に記述されている。また、Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ  ＳＩでは、ユーザが同一或いは異なるキャリア（ｃａｒｒｉｅｒ）を用いるマクロセルレイヤ（Ｍａｃｒｏ  Ｃｅｌｌ  Ｌａｙｅｒ）とスモールセルレイヤ（Ｓｍａｌｌ  Ｃｅｌｌ  Ｌａｙｅｒ）に同時的接続性を有する二重接続性（Ｄｕａｌ  Ｃｏｎｎｅｃｔｉｖｉｔｙ）概念に関する長所を導出する作業が議論されている。
【発明の概要】
【発明が解決しようとする課題】
【０００５】
本発明は、上述したような一般的な技術の問題点を解決するために案出されたものであり、本発明の目的は、マクロセルとスモールセルが共存する異種セル環境で二重接続性を有する端末とスモールセルとの接続を効率的に管理することにある。
【０００６】
本発明の他の目的は、端末とスモールセルとの接続を追加／活性化／非活性化／解除する過程を具現することによって、マクロセルと分離されるスケジューラを使用するスモールセルが端末を支援できるようにすることにある。
【０００７】
本発明のさらに他の目的は、端末、マクロセル、スモールセルなどの様々な主体を、端末とスモールセルとの接続を管理できるように具現することにある。
【０００８】
本発明で遂げようとする技術的目的は、以上に言及した事項に制限されず、言及していない他の技術的課題は、以下に説明する本発明の実施例から、本発明の属する技術の分野における通常の知識を有する者にとって考慮されてもよい。
【課題を解決するための手段】
【０００９】
上記の技術的課題を解決するための接続管理方法は、端末から端末に接続されたスモールセルに対する第１測定報告メッセージを受信するステップ、第１測定報告メッセージに基づいてスモールセルとの接続を活性化すると決定するステップ、スモールセルがマクロセルのセルＩＤと異なるセルＩＤを有する場合、スモールセルに、端末との接続を活性化することを指示するＳＣｅｌｌ活性化指示子メッセージ（ＳＣｅｌｌ  ａｃｔｉｖａｔｉｏｎ  ｉｎｄｉｃａｔｏｒ  ｍｅｓｓａｇｅ）を送信するステップ、スモールセルから、端末のためのスケジューリングを行うことを示すＳＣｅｌｌ活性化応答メッセージを受信するステップ、及び端末にスモールセルとの接続を活性化することを指示するステップを有する。
【００１０】
接続管理方法は、端末から第１測定報告メッセージを受信する前に、端末から受信されるスモールセルに対する第２測定報告メッセージに基づいて端末にスモールセルとの接続を追加すると決定するステップ、端末との接続のための情報を含む二重接続性情報メッセージ（ｄｕａｌ  ｃｏｎｎｅｃｔｉｖｉｔｙ  ｉｎｆｏｒｍａｔｉｏｎ  ｍｅｓｓａｇｅ）をスモールセルに送信するステップ、及びスモールセルから端末を支援することを承認する二重接続性応答メッセージ（ｄｕａｌ  ｃｏｎｎｅｃｔｉｖｉｔｙ  ｒｅｓｐｏｎｓｅ  ｍｅｓｓａｇｅ）を受信すると、端末にスモールセルとの接続を指示するＲＲＣ設定メッセージ（Ｒａｄｉｏ  Ｒｅｓｏｕｒｃｅ  Ｃｏｎｔｒｏｌ  ｃｏｎｆｉｇｕｒａｔｉｏｎ  ｍｅｓｓａｇｅ）を送信するステップをさらに有することができる。
【００１１】
接続管理方法は、スモールセルとの接続を活性化した後に、端末からの活性化されたスモールセルに対する第３測定報告メッセージに基づいて、スモールセルとの接続を非活性化すると決定するステップ、端末との接続を非活性化することを指示するＳＣｅｌｌ非活性化指示子メッセージ（ＳＣｅｌｌ  ｄｅａｃｔｉｖａｔｉｏｎ  ｉｎｄｉｃａｔｏｒ  ｍｅｓｓａｇｅ）をスモールセルに送信するステップ、及びスモールセルから受信するＳＣｅｌｌ非活性化応答メッセージによって、端末にスモールセルとの接続を非活性化することを指示するステップをさらに有することができる。
【００１２】
接続管理方法は、スモールセルとの接続を非活性化した後に、端末に接続された他のスモールセルと端末との接続を活性化するステップをさらに有することができる。
【００１３】
接続管理方法は、スモールセルとの接続を活性化した後に、端末からの活性化されたスモールセルに対する第４測定報告メッセージに基づいてスモールセルとの接続を解除すると決定するステップ、端末のためのスケジューリングを中断することを指示するＳＣｅｌｌ解除指示子メッセージ（ＳＣｅｌｌ  ｒｅｌｅａｓｅ  ｉｎｄｉｃａｔｏｒ  ｍｅｓｓａｇｅ）をスモールセルに送信するステップ、及びスモールセルから受信するＳＣｅｌｌ解除応答メッセージによって、端末にスモールセルとの接続を解除することを指示するＲＲＣ設定メッセージを送信するステップをさらに有することができる。
【００１４】
送信するステップ及び受信するステップは、スモールセルから所定の時間区間でＳＣｅｌｌ活性化応答メッセージを受信しないと、既に設定された送信最大回数に到達したり、又はスモールセルからＳＣｅｌｌ活性化応答メッセージを受信するまで、ＳＣｅｌｌ活性化指示子メッセージを所定の間隔で再送信するステップをさらに有することができる。
【００１５】
指示するステップは、端末にＭＡＣ（Ｍｅｄｉａ  Ａｃｃｅｓｓ  Ｃｏｎｔｒｏｌ）制御要素を送信するステップを有し、ＳＣｅｌｌ活性化指示子メッセージ及びＭＡＣ制御要素は、スモールセルが活性化される時点に関する情報を含むことができる。
【００１６】
上記の技術的課題を解決するためのマクロセル基地局は、送信部、受信部、及び送信部及び受信部と接続して端末のスモールセルとの接続を管理するプロセッサを備え、プロセッサは、端末から、端末に接続されたスモールセルに対する第１測定報告メッセージを受信するように受信部を制御し、第１測定報告メッセージに基づいてスモールセルとの接続を活性化すると決定し、スモールセルがマクロセルのセルＩＤと異なるセルＩＤを有する場合、スモールセルに、端末との接続を活性化することを指示するＳＣｅｌｌ活性化指示子メッセージ（ＳＣｅｌｌ  ａｃｔｉｖａｔｉｏｎ  ｉｎｄｉｃａｔｏｒ  ｍｅｓｓａｇｅ）を送信するように送信部を制御し、スモールセルから端末のためのスケジューリングを行うことを示すＳＣｅｌｌ活性化応答メッセージを受信するように受信部を制御し、端末にスモールセルとの接続を活性化することを指示する。
【発明の効果】
【００１７】
本発明の実施例によれば、次のような効果を期待することができる。
【００１８】
第一に、マクロ／スモールセルが共存する異種セル環境で、二重接続性を有する端末とスモールセル間の接続を効率的に管理することができる。
【００１９】
第二に、マクロセルとスモールセルがそれぞれ異なるスケジューラを有する異種セル環境で端末とスモールセル間の接続を管理することによって、端末にスケジューリングがされない状況や不要にスケジューリングが続く状況を防止することができる。
【００２０】
第三に、様々な主体が端末とスモールセル間の接続を管理できるように具現することによって、通信環境やシステム変化によって動的な接続管理が可能となる。
【００２１】
本発明の実施例から得られる効果は、以上に言及した効果に制限されず、言及していない他の効果は、以下の本発明の実施例に関する記載から、本発明の属する技術の分野における通常の知識を有する者には明確に導出されて理解されるであろう。すなわち、本発明を実施する上での意図しない効果も、本発明の実施例から当該技術の分野における通常の知識を有する者にとって得られるだろう。
【図面の簡単な説明】
【００２２】
【図１】本発明に係る異種ネットワーク環境を示す図である。
【図２】本発明に係るキャリア結合（ｃａｒｒｉｅｒ  ａｇｇｒｅｇａｔｉｏｎ）を示す図である。
【図３】本発明に係る、複数のキャリアが併合された場合のクロススケジューリング（ｃｒｏｓｓ  ｓｃｈｅｄｕｌｉｎｇ）を示す図である。
【図４】本発明に係るＭＡＣ制御要素（ＭＡＣ  ｃｏｎｔｒｏｌ  ｅｌｅｍｅｎｔ）を説明する図である。
【図５】本発明に係るハンドオーバー過程を説明する図である。
【図６】本発明に係る二重接続性（ｄｕａｌ  ｃｏｎｎｅｃｔｉｖｉｔｙ）を説明する図である。
【図７】本発明の一実施例に係る、ＳＣｅｌｌとの接続管理方法を説明する図である。
【図８】本発明の一実施例に係る、ＳＣｅｌｌとの接続管理方法を説明する図である。
【図９】本発明の一実施例に係る、ＳＣｅｌｌとの接続管理方法を説明する図である。
【図１０】本発明の一実施例に係る、ＳＣｅｌｌとの接続管理方法を説明する図である。
【図１１】本発明の一実施例に係る、ＳＣｅｌｌとの接続管理方法を説明する図である。
【図１２】本発明の一実施例に係る、ＳＣｅｌｌとの接続管理方法を説明する図である。
【図１３】本発明の一実施例に係る、ＳＣｅｌｌとの接続管理方法を説明する図である。
【図１４】本発明の一実施例に係る、ＳＣｅｌｌとの接続管理方法を説明する図である。
【図１５】本発明の一実施例に係る、ＳＣｅｌｌとの接続管理方法を説明する図である。
【図１６】本発明の一実施例に係る、ＳＣｅｌｌとの接続管理方法を説明する図である。
【図１７】本発明の一実施例に係る端末及び基地局の構成を示すブロック図である。
【発明を実施するための形態】
【００２３】
以下に添付する図面は、本発明に関する理解を助けるためのものであり、詳細な説明と共に本発明に関する実施例を提供する。ただし、本発明の技術的特徴が特定の図面に限定されるわけではなく、各図に開示する特徴は互いに組み合わせられて新しい実施例として構成されてもよい。各図における参照番号（ｒｅｆｅｒｅｎｃｅ  ｎｕｍｅｒａｌｓ）は、構造的構成要素（ｓｔｒｕｃｔｕｒａｌ  ｅｌｅｍｅｎｔｓ）を意味する。
本発明で使われる用語は、本発明における機能を考慮するとともに、可能な限り現在広く使われる一般的な用語を選択したが、これは、当該分野に従事する技術者の意図、判例、又は新しい技術の出現などによって変更されてもよい。また、特定の場合には、出願人が任意に選定した用語もあり、この場合、該当する発明の説明の部分において詳しくその意味を記載するものとする。したがって、本発明で使われる用語は、単純な用語の名称ではなく、その用語が有する意味と本発明の全般にわたる内容に基づいて定義されなければならない。
【００２４】
以下の実施例は、本発明の構成要素と特徴を所定の形態に結合したものである。各構成要素又は特徴は、別の明示的な言及がない限り、選択的なものとして考慮することができる。各構成要素又は特徴は、他の構成要素や特徴と結合しない形態で実施することもでき、一部の構成要素及び／又は特徴を結合して本発明の実施例を構成することもできる。本発明の実施例で説明する動作の順序は変更されてもよい。ある実施例の一部の構成や特徴は、他の実施例に含まれてもよく、他の実施例の対応する構成又は特徴に取って代わってもよい。
【００２５】
図面に関する説明において、本発明の要旨を曖昧にさせ得る手順又は段階などは記述を省略し、当業者のレベルで理解可能な程度の手順又は段階も記述しないものとする。
【００２６】
明細書の全体を通じて、ある部分がある構成要素を「含む（又は、備える）」としたとき、これは、特別に反対する記載がない限り、他の構成要素を除外するという意味ではなく、他の構成要素をさらに含み得るということを意味する。また、明細書に記載された「…部」，「… 器」，「モジュール」などの用語は、少なくとも一つの機能や動作を処理する単位を意味し、これは、ハードウェア、ソフトウェア、又はハードウェア及びソフトウェアの結合によって具現することができる。また、「一つ（ａ又はａｎ）」、「一（ｏｎｅ）」，「前記（ｔｈｅ）」及び類似の関連語は、本発明を記述する文脈において（特に、以下の請求項の文脈において）、本明細書に特別に指示されたり又は文脈によって明らかに反駁されない限り、単数及び複数の両意味で使われるものとする。
【００２７】
本明細書で、本発明の実施例は、基地局と移動局との間におけるデータ送受信関係を中心に説明されている。ここで、基地局は、移動局と直接的に通信を行うネットワークの終端ノード（ｔｅｒｍｉｎａｌ  ｎｏｄｅ）としての意味がある。本文書で基地局によって行われると説明された特定動作は、場合によっては、基地局の上位ノード（ｕｐｐｅｒ  ｎｏｄｅ）によって行われてもよい。
【００２８】
すなわち、基地局を含む複数のネットワークノード（ｎｅｔｗｏｒｋ  ｎｏｄｅｓ）で構成されるネットワークにおいて移動局との通信のために行われる様々な動作は、基地局又は基地局以外のネットワークノードによって行われる。ここで、「基地局」は、固定局（ｆｉｘｅｄ  ｓｔａｔｉｏｎ）、Ｎｏｄｅ Ｂ、ｅＮｏｄｅ Ｂ（ｅＮＢ）、発展した基地局（Ａｄｖａｎｃｅｄ  Ｂａｓｅ  Ｓｔａｔｉｏｎ、ＡＢＳ）、又はアクセスポイント（ａｃｃｅｓｓ  ｐｏｉｎｔ）などの用語に言い換えてもよい。
【００２９】
また、「移動局（Ｍｏｂｉｌｅ  Ｓｔａｔｉｏｎ、ＭＳ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（Ａｄｖａｎｃｅｄ  Ｍｏｂｉｌｅ  Ｓｔａｔｉｏｎ、ＡＭＳ）、又は端末（Ｔｅｒｍｉｎａｌ）などの用語に言い換えてもよい。
【００３０】
また、送信端は、データサービス又は音声サービスを提供する固定及び／又は移動ノードを意味し、受信端は、データサービス又は音声サービスを受信する固定及び／又は移動ノードを意味する。このため、上りリンクでは移動局を送信端とし、基地局を受信端とすることができる。同様に、下りリンクでは移動局を受信端とし、基地局を送信端とすることができる。
【００３１】
また、デバイスが「セル」と通信を行うという記載は、デバイスが当該セルの基地局と信号を送受信するということを意味することができる。すなわち、デバイスが信号を送受信する実質的な対象は特定の基地局になり得るが、記載の便宜上、特定の基地局によって形成されるセルと信号を送受信すると記載することもできる。同様に、「マクロセル」及び／又は「スモールセル」との記載は、それぞれ特定のカバレッジ（ｃｏｖｅｒａｇｅ）を意味する他、「マクロセルを支援するマクロ基地局」及び／又は「スモールセルを支援するスモールセル基地局」を意味することもできる。
【００３２】
本発明の実施例は、無線接続システムであるＩＥＥＥ ８０２．ｘｘシステム、３ＧＰＰシステム、３ＧＰＰ ＬＴＥシステム、及び３ＧＰＰ２システムのうち少なくとも一つに開示された標準文書によって裏付けることができる。すなわち、本発明の実施例において説明していない自明な段階又は部分は、上記の文書を参照して説明することができる。
【００３３】
また、本文書で開示している全ての用語は、上記の標準文書によって説明することができる。特に、本発明の実施例は、ＩＥＥＥ ８０２．１６システムの標準文書であるＰ８０２．１６ｅ−２００４、Ｐ８０２．１６ｅ−２００５、Ｐ８０２．１６．１、Ｐ８０２．１６ｐ及びＰ８０２．１６．１ｂ標準文書のうち一つ以上によって裏付けることができる。
【００３４】
以下、本発明に係る好適な実施の形態を、添付の図面を参照して詳細に説明する。添付の図面と共に以下に開示される詳細な説明は、本発明の例示的な実施の形態を説明するためのものであり、本発明を実施し得る唯一の実施の形態を表すためのものではない。
【００３５】
また、本発明の実施例で使われる特定の用語は、本発明の理解を助けるために提供されるものであり、このような特定の用語の使用は、本発明の技術的思想から逸脱しない範囲で他の形態に変更されてもよい。
【００３６】
１．異種ネットワーク環境
図１は、本発明に係る異種ネットワーク環境を示す図である。
【００３７】
次世代移動通信では、マルチメディアなどのデータサービスをより安定的に保障するために、マクロセルベースの同種ネットワークに低電力／近距離通信のためのスモールセル（例えば、ピコセル又はフェムトセル）が混在する階層的セル構造或いは異種セル構造への関心が高まっている。これは、マクロセルの基地局の追加設置は、システム性能の向上対比費用及び複雑度の側面において非効率的であるからである。
【００３８】
次世代通信ネットワークで考慮されている異種ネットワークの構造を、図１に示す。一つのマクロセル内に複数のスモールセルが共存し、各スモールセルは、セル指定（ｃｅｌｌ  ｃｏｏｒｄｉｎａｔｉｏｎ）方式によって割り当てられるリソースで端末にサービスを提供する。
【００３９】
一方、上述したスモールセルは、端末の接近を許容する方式によって２種類に分けられる。第一に、ＯＳＧ（Ｏｐｅｎ  ａｃｃｅｓｓ  Ｓｕｂｓｃｒｉｂｅｒ  Ｇｒｏｕｐ）又はＮｏｎ−ＣＳＧ（Ｎｏｎ  Ｃｌｏｓｅｄ  Ｓｕｂｓｃｒｉｂｅｒ  Ｇｒｏｕｐ）方式のスモールセルは、マクロセルに接続された端末及び／又は他のスモールセルに接続された端末の接近を許容する。ＯＳＧ又はＮｏｎ−ＣＳＧ方式では、他のセルから自身のセルへのハンドオーバー（ｈａｎｄｏｖｅｒ）が可能である。
【００４０】
第二に、ＣＳＧ（Ｃｌｏｓｅｄ  Ｓｕｂｓｃｒｉｂｅｒ  Ｇｒｏｕｐ）方式のスモールセルは、マクロセルに接続された端末及び／又は他のスモールセルに接続された端末の、認証されていない接近を許容しない。また、ＣＳＧ方式では、他のセルから自身のセルへのハンドオーバーが不可能である。
【００４１】
２．キャリア結合及び二重接続性
図２は、本発明に係るキャリア結合（ｃａｒｒｉｅｒ  ａｇｇｒｅｇａｔｉｏｎ）を示す図である。
【００４２】
図２を参照すると、通信システムは、複数の上りリンク／下りリンクコンポーネント搬送波（Ｃｏｍｐｏｎｅｎｔ  Ｃａｒｒｉｅｒ、ＣＣ）を集成してより広い上りリンク／下りリンク帯域幅を支援することができる。「コンポーネント搬送波（ＣＣ）」という用語は、等価の他の用語（例、キャリア、セルなど）に言い換えてもよい。それぞれのＣＣは周波数領域で互いに隣接しても隣接しなくてもよい。各コンポーネント搬送波の帯域幅は独立して定められてもよい。ＵＬ ＣＣの個数とＤＬ ＣＣの個数とが異なる非対称搬送波集成も可能である。一方、制御情報は特定ＣＣでのみ送受信されるように設定されてもよい。このような特定ＣＣをプライマリ（ｐｒｉｍａｒｙ）ＣＣ（又は、アンカー（ａｎｃｈｏｒ）ＣＣ）と呼び、残りのＣＣをセカンダリ（ｓｅｃｏｎｄａｒｙ）ＣＣと呼ぶことができる。
【００４３】
クロス−キャリアスケジューリング（又はクロス−ＣＣスケジューリング）が適用される場合、下りリンク割り当てのためのＰＤＣＣＨをＤＬ ＣＣ＃０で送信し、該当のＰＤＳＣＨはＤＬ ＣＣ＃２で送信することができる。クロス−ＣＣスケジューリングのために、キャリア指示フィールド（ｃａｒｒｉｅｒ  ｉｎｄｉｃａｔｏｒ  ｆｉｅｌｄ、ＣＩＦ）の導入を考慮することができる。ＰＤＣＣＨにＣＩＦが存在するか否かは、上位層シグナリング（例、ＲＲＣシグナリング）によって半−静的（ｓｅｍｉ−ｓｔａｔｉｃ）及び端末−特定（ＵＥ−ｓｐｅｃｉｆｉｃ）（又は、端末−グループ−特定（ＵＥ−ｇｒｏｕｐ−ｓｐｅｃｉｆｉｃ））方式で設定することができる。ＰＤＣＣＨ送信のベースラインを要約すると、下記のとおりである。
【００４４】
１）ＣＩＦディスエーブルド（ｄｉｓａｂｌｅｄ）：ＤＬ ＣＣ上のＰＤＣＣＨは同ＤＬ ＣＣ上のＰＤＳＣＨリソースを割り当てたり、一つの（ｓｉｎｇｌｅ）リンクされたＵＬ ＣＣ上のＰＵＳＣＨリソースを割り当てる。
【００４５】
１−１）Ｎｏ ＣＩＦ
１−２）ＬＴＥ ＰＤＣＣＨ構造（同じ符号化、同じＣＣＥベースのリソースマッピング）及びＤＣＩフォーマットと同一である。
【００４６】
２）ＣＩＦイネーブルド（ｅｎａｂｌｅｄ）：ＤＬ ＣＣ上のＰＤＣＣＨは、ＣＩＦを用いて、複数の併合されたＤＬ／ＵＬ ＣＣのうち特定のＤＬ／ＵＬ ＣＣ上のＰＤＳＣＨ又はＰＵＳＣＨリソースを割り当てる。
【００４７】
２−１）ＣＩＦを有する拡張されたＬＴＥ ＤＣＩフォーマット
２−１−１）ＣＩＦ（設定される場合）は、固定されたｘ−ビットフィールド（例、ｘ＝３）。
２−１−２）ＣＩＦ（設定される場合）位置は、ＤＣＩフォーマットサイズに関係なく固定される。
２−２）ＬＴＥ ＰＤＣＣＨ構造を再使用（同じ符号化、同じＣＣＥベースのリソースマッピング）。
【００４８】
図３は、本発明に係る、複数のキャリアが併合された場合のクロススケジューリング（ｃｒｏｓｓ  ｓｃｈｅｄｕｌｉｎｇ）を示す図である。
【００４９】
ＣＩＦが存在する場合、基地局は、端末側のブラインドデコーディング複雑度を減らすために、ＰＤＣＣＨモニタリングＤＬ ＣＣセットを割り当てることができる。ＰＤＣＣＨモニタリングＤＬ ＣＣセットは、併合された全体ＤＬ ＣＣの一部であり、一つ以上のＤＬ ＣＣを含む。端末は、該当のＤＬ ＣＣ上でのみＰＤＣＣＨの検出／復号化を行う。すなわち、基地局が端末にＰＤＳＣＨ／ＰＵＳＣＨをスケジューリングする場合、ＰＤＣＣＨは、ＰＤＣＣＨモニタリングＤＬ ＣＣセットでのみ送信される。ＰＤＣＣＨモニタリングＤＬ ＣＣセットは、端末−特定（ＵＥ−ｓｐｅｃｉｆｉｃ）、端末−グループ−特定（ＵＥ−ｇｒｏｕｐ−ｓｐｅｃｉｆｉｃ）又はセル−特定（ｃｅｌｌ−ｓｐｅｃｉｆｉｃ）方式で設定することができる。「ＰＤＣＣＨモニタリングＤＬ ＣＣ」という用語は、モニタリングキャリア、モニタリングセルなどのような等価の用語に言い換えてもよい。また、端末のために併合されたＣＣは、サービングＣＣ、サービングキャリア、サービングセルなどのような等価の用語に言い換えてもよい。
【００５０】
図３に示すように、３個のＤＬ ＣＣが併合されてもよい。図３で、ＤＬ ＣＣ ＡがＰＤＣＣＨモニタリングＤＬ ＣＣに設定される。ＤＬ ＣＣ Ａ、Ｂ、Ｃは、サービングＣＣ、サービングキャリア、サービングセルなどと呼ぶことがてきる。ＣＩＦがディスエーブルされた場合、それぞれのＤＬ ＣＣは、ＬＴＥ ＰＤＣＣＨ設定によってＣＩＦ無しで自身のＰＤＳＣＨをスケジューリングするＰＤＣＣＨのみを送信することができる。一方、端末−特定（又は端末−グループ−特定又はセル−特定）上位層シグナリングによってＣＩＦがイネーブルされた場合、ＤＬ ＣＣ Ａ（モニタリングＤＬ ＣＣ）はＣＩＦを用いてＤＬ ＣＣ ＡのＰＤＳＣＨをスケジューリングするＰＤＣＣＨだけでなく、他のＣＣのＰＤＳＣＨをスケジューリングするＰＤＣＣＨも送信することができる。この場合、ＰＤＣＣＨモニタリングＤＬ ＣＣとして設定されていないＤＬ ＣＣ Ｂ／ＣではＰＤＣＣＨが送信されない。このため、ＤＬ ＣＣ Ａ（モニタリングＤＬ ＣＣ）は、ＤＬ ＣＣ Ａと関連付いたＰＤＣＣＨ検索領域、ＤＬ ＣＣ Ｂと関連付いたＰＤＣＣＨ検索領域、及びＤＬ ＣＣ と関連付いたＰＤＣＣＨ検索領域を全て含まなければならない。本明細書で、ＰＤＣＣＨ検索領域はキャリア別に定義されると仮定する。
【００５１】
上述したとおり、ＬＴＥ−Ａは、クロス−ＣＣスケジューリングのためにＰＤＣＣＨ内でＣＩＦの使用を考慮している。ＣＩＦを使用するか否か（すなわち、クロス−ＣＣスケジューリングモード又はノン−クロス−ＣＣスケジューリングモードの支援）及びモード間の切替は、ＲＲＣシグナリングによって半−静的に／端末−特定に設定することができる。端末は、このようなＲＲＣシグナリング過程から、自身にスケジュールされるＰＤＣＣＨ内にＣＩＦが使用されているか否かを認識することができる。
【００５２】
図４は、本発明に係るＭＡＣ制御要素（ＭＡＣ  ｃｏｎｔｒｏｌ  ｅｌｅｍｅｎｔ）を説明する図である。セルを活性化／非活性化するＭＡＣ制御要素は、ＭＡＣ ＰＤＵのサブヘッダーによって識別される。図示のように、ＭＡＣ制御要素は、７個のＣ−フィールドと１個のＲ−フィールドを含む単一の１オクテット（ｓｉｎｇｌｅ  ｏｃｔｅｔ）で構成され、固定サイズを有することができる。
【００５３】
Ｃ−フィールドは、それぞれが指示するスモールセルが活性化／非活性化されるべきことを示す。Ｃ−フィールドの値が「１」である場合には、スモールセルを活性化することを示し、「０」の場合には、スモールセルを非活性化することを示すことができる。Ｒ−フィールドは、予約されたビット（ｒｅｓｅｒｖｅｄ  ｂｉｔ）であり、「０」として指定することができる。
【００５４】
図５は、本発明に係るハンドオーバー過程を説明する図である。
【００５５】
端末は、ハンドオーバー手順（ｈａｎｄｏｖｅｒ  ｐｒｏｃｅｄｕｒｅ）を行って、基地局との接続を一つの基地局から他の基地局に変更することができる。接続している基地局をソース基地局（ｓｏｕｒｃｅ  ｅＮＢ）、新しく接続する対象基地局をターゲット基地局（ｔａｒｇｅｔ  ｅＮＢ）と呼ぶ。
【００５６】
端末はソース基地局と通信を行いつつ、ソース基地局との通信状態に対する測定報告メッセージを送信する。ソース基地局は、端末のハンドオーバーを決定し、ターゲット基地局に端末との接続を要求する。ターゲット基地局がこれを承認して応答メッセージを送信すると、ソース基地局は端末にＲＲＣ接続再設定（ＲＲＣ  ｃｏｎｎｅｃｔｉｏｎ  ｒｅｃｏｎｆｉｇｕｒａｔｉｏｎ）メッセージを送信し、端末にターゲット基地局へ接続することを指示する。
【００５７】
次に、端末は、ソース基地局との接続を解除し、ターゲット基地局との同期化を行う。ソース基地局は、ターゲット基地局が端末との通信を継続して行えるように、端末と通信中だったパケットなどをターゲット基地局に伝達する。ソース基地局は、パケットと併せてＳＮ状態（Ｓｅｒｉａｌ  Ｎｕｍｂｅｒ  ｓｔａｔｕｓ）をターゲット基地局に送信することができる。
【００５８】
端末は、ターゲット基地局との新しい接続を確立するためにランダムアクセス過程を行う。競合解消過程を経て端末がターゲット基地局に成功裏に接続すると、ターゲット基地局はソース基地局に端末との接続を解除することを指示する。ソース基地局は、端末との接続を解除することによって、端末に割り当てていたリソースを再び確保する。
【００５９】
図６は、本発明に係る二重接続性（ｄｕａｌ  ｃｏｎｎｅｃｔｉｖｉｔｙ）を説明する図である。
【００６０】
スモールセル基地局６２０，６３０のスモールセルカバレッジ（ｃｏｖｅｒａｇｅ）内に位置しているた端末６２５，６３５は、マクロセル基地局６１０のマクロセルとスモールセルに同時に接続することができる。端末６２５，６３５は、マクロセル及びスモールセルから同時に又はＴＤＭ（Ｔｉｍｅ  Ｄｉｖｉｓｉｏｎ  Ｍｕｌｔｉｐｌｅｘｉｎｇ）方式でサービスを受けることができる。マクロセルとスモールセル間のバックホール（ｂａｃｋｈａｕｌ）は、理想的（ｉｄｅａｌ）バックホール又は非理想的（ｎｏｎ−ｉｄｅａｌ）バックホールである。
【００６１】
端末６２５，６３５は、マクロセルレイヤ（ｌａｙｅｒ）ではコントロールプレーン（Ｃｏｎｔｒｏｌ  ｐｌａｎｅ、Ｃ−ｐｌａｎｅ）から提供される機能（接続管理、移動性管理）のサービスを受けることができる。また、端末６２５，６３５は、ユーザプレーン（Ｕｓｅｒ  ｐｌａｎｅ、Ｕ−ｐｌａｎｅ）から提供される機能を、マクロセル及び／又はスモールセルから選択してサービスを受けることができる。一方、図６では、スモールセルがユーザプレーンのデータ経路である実施例を示す。
【００６２】
例えば、ＶｏＬＴＥ（Ｖｏｉｃｅ  ｏｖｅｒ  Ｌｏｎｇ  Ｔｅｒｍ  Ｅｖｏｌｕｔｉｏｎ）のようなサービスは、実時間でデータ送信がなされる。端末６２５，６３５が移動しつつスモールセルらからＶｏＬＴＥサービスを受ける場合、サービスの中断（ｉｎｔｅｒｒｕｐｔｉｏｎ）が頻繁に発生しうる。このため、端末６２５，６３５は、サービスの連続性が保障されるマクロセルからサービス提供を受けることができる。逆に、端末６２５，６３５は、高い効率が要求されるサービスはスモールセルから受けてもよい。
【００６３】
上述したマクロセルとスモールセルはキャリア結合を行っていてもよい。すなわち、マクロセルとスモールセルはそれぞれ任意のｎ、ｋ（ｎ、ｋは自然数）個のキャリアを用いることができる。このとき、マクロセルのキャリアとスモールセルのキャリアは互いに異なってもよく、一部のキャリアがマクロセルとスモールセルにおいて共通に用いられてもよい。例えば、マクロセルは、ｆ１、ｆ２の周波数を有するサブキャリアを用い、スモールセルは、ｆ２，ｆ３の周波数を有するサブキャリアを用いることができる。
【００６４】
図６を取り上げて説明すると、マクロセル基地局６１０と第１スモールセル基地局６２０は、異なる周波数Ｆ１、Ｆ２のサブキャリアを用いる。一方、マクロセル基地局６１０と第２スモールセル基地局６３０は端末６３５にサービスを提供するために、同じ周波数帯域Ｆ１を用いる。二重接続性を有するように設定された端末６２５，６３５は、マクロセル基地局６１０によるマクロセルとスモールセル基地局６２０，６３０によるスモールセルに同時に接続することができる。
【００６５】
上述した二重接続性は、互いに異なるバンド（ｂａｎｄ）に位置するキャリアを併合するｉｎｔｅｒ−ｓｉｔｅ（又は、ｉｎｔｅｒ−ｂａｎｄ）キャリア結合と同様に説明することもできる。すなわち、マクロセルは、キャリア結合におけるプライマリＣＣによるＰＣｅｌｌ（Ｐｒｉｍａｒｙ  Ｃｅｌｌ）として、スモールセルは、キャリア結合におけるセカンダリＣＣによるＳＣｅｌｌ（Ｓｅｃｏｎｄａｒｙ  Ｃｅｌｌ）として説明することができる。
【００６６】
しかしながら、異種ネットワーク環境における二重接続性はキャリア結合とは区別して理解しなければならない。すなわち、マクロセルとスモールセル間の二重接続性は、単一基地局におけるキャリア結合ではなく、地理的／位置的な概念が加えられたものである。さらにいうと、端末６２５，６３５は、第１スモールセル基地局６２０によるスモールセルに位置する場合と第２スモールセル基地局６３０によるスモールセルに位置する場合のそれぞれにおいて、マクロセル基地局６１０からサービス提供を受けると同時に、地理的／位置的に分離して位置している第１／第２スモールセル基地局６２０，６３０と通信を行う。
【００６７】
３．ＳＣｅｌｌとの接続管理方法
従来のＬＴＥ（Ｌｏｎｇ  Ｔｅｒｍ  Ｅｖｏｌｕｔｉｏｎ、Ｒｅｌ−８／９）、ＬＴＥ−Ａ（ＬＴＥ−Ａｄｖａｎｃｅｄ、Ｒｅｌ−１０／１１）では、基地局が一つの端末にＰＣｅｌｌ、ＳＣｅｌｌ（ｓ）を設定するためにキャリア結合を考慮した。キャリア結合によって端末に設定されたＰＣｅｌｌ、ＳＣｅｌｌは、同じスケジューラによってスケジュールされる。
【００６８】
しかし、上述した異種ネットワーク環境で端末が二重接続性を有する場合（すなわち、端末がマクロセルとスモールセルに同時に接続される場合）、端末は、分離されたスケジューラ（ｓｅｐａｒａｔｅ  ｓｃｈｅｄｕｌｅｒ）からマクロセルとスモールセのルそれぞれに対して独立したスケジューリングを受けることができる。すなわち、端末には、マクロセルからＰＣｅｌｌ、スモールセルからＳＣｅｌｌがそれぞれスケジュールされてもよい。
【００６９】
一方、二重接続性を有する端末に対するそれぞれのスケジューラが個別にスケジューリングを行う場合、互いにスケジューリング情報が共有されないと、予想できない様々な問題につながりうる。以下、二重接続性を有する端末が分離されたスケジューラによって独立してスケジューリングを受ける状況で発生しうる問題点を解決するための方法を提案する。
【００７０】
以下、分離されたスケジューラが独立してスケジューリングをするということは、キャリア結合におけるクロススケジューリングが排除されるということを意味するわけではない。すなわち、クロススケジューリングが適用されない場合には、マクロセルとスモールセルがそれぞれ独立して自身のリソースをスケジュールすることができる。また、クロススケジューリングが適用される場合には、マクロセルとスモールセルとの間におけるデータ、スケジューリング関連リソース情報、チャネルのＣＳＩ（Ｃｈａｎｎｅｌ  Ｓｔａｔｅ  Ｉｎｆｏｒｍａｔｉｏｎ）情報などの交換を通じて各スケジューラがスケジューリングをすることもできる。
【００７１】
一方、二重接続性を有する端末は、非理想的バックホールで接続された異なるネットワークポイント（例えば、マスター（ｍａｓｔｅｒ）基地局とセカンダリ（ｓｅｃｏｎｄａｒｙ）基地局）からリソース割り当てを受けることができる。このとき、マスター基地局（Ｍａｓｔｅｒ  ｅＮＢ、ＭｅＮＢ）は、二重接続性においてＳ１−ＭＭＥ接続に該当する基地局であり、ＣＮ（Ｃｏｒｅ  Ｎｅｔｗｏｒｋ）においてモビリティーアンカー（ｍｏｂｉｌｉｔｙ  ａｎｃｈｏｒ）の役割を担うことができる。このようなマスター基地局と関連したサービングセルのグループをマスターセルグループ（ｍａｓｔｅｒ  ｃｅｌｌ  ｇｒｏｕｐ）と定義することができる。セカンダリ基地局（Ｓｅｃｏｎｄａｒｙ  ｅＮＢ、ＳｅＮＢ）は、端末のために追加のリソースを提供する基地局であり、マスター基地局と区別して（すなわち、マスター基地局以外の基地局と）定義することができる。また、マスターセルグループと同様に、セカンダリ基地局と関連したサービングセルのグループをセカンダリセルグループと定義することができる。
【００７２】
本出願で、二重接続性を有する端末は、マクロセルとの接続によってＰＣｅｌｌからサービスを受け、スモールセルとの接続によってＳＣｅｌｌからサービスを受けると記述している。すなわち、本出願では、“ＰＣｅｌｌ”に対して行われる動作は、ＰＣｅｌｌをサービスする“マクロセル”に対する動作を意味し、“ＳＣｅｌｌ”に対して行われる動作はＳＣｅｌｌをサービスする“スモールセル”に対する動作を意味する。
【００７３】
しかし、これは、便宜上の用語選択にすぎない。すなわち、“ＰＣｅｌｌ”及び“ＳＣｅｌｌ”は、セルの種類（ｔｙｐｅ）によって様々な意味として解釈されてもよく、以上に言及した意味に限定されない。例えば、“ＰＣｅｌｌ”と“ＳＣｅｌｌ”はそれぞれ、マクロセルとスモールセルを意味できる他、“マスター基地局（ｍａｓｔｅｒ  ｅＮＢ）”と“セカンダリ基地局（ｓｅｃｏｎｄａｒｙ  ｅＮＢ）”を意味することもできる。また、“ＰＣｅｌｌ”と“ＳＣｅｌｌ”はそれぞれ、ＭｅＮＢに関連した“マスターセルグループ”とＳｅＮＢに関連した“セカンダリセルグループ”を意味することもできる。
【００７４】
図７及び図８は、本発明の一実施例に係る、ＳＣｅｌｌとの接続管理方法を説明する図である。図７では、ＳＣｅｌｌが端末の二重接続性を支援するか否かを決定する実施例を説明し、図８では、ＰＣｅｌｌが端末に対するＳＣｅｌｌの二重接続性を支援するか否かを決定する実施例を説明する。
【００７５】
まず、図７を説明する。マクロセル（ＰＣｅｌｌ）及びスモールセル（ＳＣｅｌｌ）との二重接続性を有する端末は、ＰＣｅｌｌからの下りリンク信号に基づいて測定報告メッセージ（ｍｅａｓｕｒｅｍｅｎｔ  ｒｅｐｏｒｔ  ｍｅｓｓａｇｅ）を生成する。測定報告メッセージは、ＰＣｅｌｌからの信号の強度、品質、ＳＮＲ、ＳＩＮＲに対する測定値のうち少なくとも一つを含むことができる。端末は、生成した測定報告メッセージをＰＣｅｌｌ（すなわち、マクロセル）に送信する。（Ｓ７１０）
【００７６】
端末からの測定報告メッセージに含まれた測定値が既に設定されたイベントをトリガーする条件を満たす場合（例えば、端末に近接している隣接セルからの信号強度が臨界値以上である場合、隣接セルからの信号強度とサービングセルであるＰＣｅｌｌからの信号強度との差が臨界値未満である場合、ＰＣｅｌｌからのＳＩＮＲが臨界値未満である場合など）、ＰＣｅｌｌはＳＣｅｌｌに二重接続性要求メッセージ（ｄｕａｌ  ｃｏｎｎｅｃｔｉｖｉｔｙ  ｒｅｑｕｅｓｔ  ｍｅｓｓａｇｅ）を送信する。（Ｓ７２０）
【００７７】
二重接続性要求メッセージは、端末に対する二重接続性を支援するようにＳＣｅｌｌに要求するメッセージである。すなわち、端末をサービスすることをＳＣｅｌｌ（すなわち、スモールセル）に要求するメッセージである。二重接続性要求メッセージは、“メッセージタイプ、ＰＣｅｌｌのＰＣＩＤ（Ｐｈｙｓｉｃａｌ  Ｃｅｌｌ  Ｉｄｅｎｔｉｆｉｅｒ）、ＥＣＧＩ（Ｅ−ＵＴＲＡＮ  Ｃｅｌｌ  Ｇｌｏｂａｌ  Ｉｄｅｎｔｉｆｉｅｒ）又はＧＣＩＤ（Ｇｌｏｂａｌ  Ｃｅｌｌ  Ｉｄｅｎｔｉｆｉｅｒ）、ＳＣｅｌｌのＰＣＩＤ、ＥＣＧＩ又はＧＣＩＤ、端末のコンテクスト（ｃｏｎｔｅｘｔ）情報、端末が測定報告したＳＣｅｌｌのＣＳＩ（Ｃｈａｎｎｅｌ  Ｓｔａｔｅ  Ｉｎｆｏｒｍａｔｉｏｎ）、ＰＣｅｌｌにおける端末のＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）又はＵＥ Ｘ２ＡＰ ＩＤ）、端末がＳＣｅｌｌに非競合ベースのランダムアクセス（ｎｏｎ−ｃｏｎｔｅｎｔｉｏｎ  ｂａｓｅｄ  ｒａｎｄｏｍ  ａｃｃｅｓｓ）を行う時の指定プリアンブル（ｄｅｄｉｃａｔｅｄ  ｐｒｅａｍｂｌｅ）に関する情報”などで構成することができる。このメッセージは、ＰＣｅｌｌとＳＣｅｌｌとの間のバックホール（例えば、Ｘ２インターフェース又はエアー（ａｉｒ）インターフェース）を介して送信することができる。
【００７８】
二重接続性要求メッセージを受信したＳＣｅｌｌは、自身のセル負荷（ｃｅｌｌ  ｌｏａｄ）、端末のコンテクスト情報、ＰＣｅｌｌにおける端末のＩＤなどの情報を用いて、端末を支援するか否か決定する。（Ｓ７３０）
【００７９】
端末を支援すると決定したＳＣｅｌｌは、ＰＣｅｌｌに二重接続性応答メッセージ（ｄｕａｌ  ｃｏｎｎｅｃｔｉｖｉｔｙ  ｒｅｓｐｏｎｓｅ  ｍｅｓｓａｇｅ）を送信する。（Ｓ７４０）。二重接続性応答メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、ＳＣｅｌｌにおける端末のＩＤ（Ｃ−ＲＮＴＩ又はＵＥ Ｘ２ＡＰ ＩＤ）”などで構成することができる。このメッセージは、ＰＣｅｌｌとＳＣｅｌｌ間のバックホールを介して送信することができる。
【００８０】
二重接続性応答メッセージを受信したＰＣｅｌｌは、ＲＲＣ（再）設定メッセージ（ＲＲＣ  （ｒｅ）ｃｏｎｆｉｇｕｒａｔｉｏｎ  ｍｅｓｓａｇｅ）を端末に送信し、端末にＳＣｅｌｌとの接続を設定する（Ｓ７５０）。このとき、ＲＲＣ（再）設定メッセージは、“メッセージタイプ、ＳＣｅｌｌのＩＤ（ＰＣＩＤ、ＥＣＧＩ、ＧＣＩＤ）、ＳＣｅｌｌの上り／下りリンク周波数、ＳＣｅｌｌｉｎｄｅｘ、ＳＣｅｌｌにおける端末のＣ−ＲＮＴＩ”などで構成することができる。
【００８１】
一方、ＳＣｅｌｌが端末の二重接続性を支援しない場合、ＳＣｅｌｌはＰＣｅｌｌにＳＣｅｌｌ設定失敗メッセージ（ＳＣｅｌｌ  ｃｏｎｆｉｇｕｒａｔｉｏｎ  ｆａｉｌｕｒｅ  ｍｅｓｓａｇｅ）又は二重接続性失敗メッセージ（ｄｕａｌ  ｃｏｎｎｅｃｔｉｖｉｔｙ  ｆａｉｌｕｒｅ  ｍｅｓｓａｇｅ）を送信する。このようなメッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、Ｃａｕｓｅ”などで構成することができ、“Ｃａｕｓｅ”フィールドには、ＳＣｅｌｌが二重接続性を支援できない原因に関する情報を含めることができる。
【００８２】
ＰＣｅｌｌは、二重接続性要求メッセージの送信と併せて、既に設定された時間区間に該当するタイマーを設定することができる。これによって、ＰＣｅｌｌは、タイマーが満了した後にも二重接続性要求メッセージを送信したＳＣｅｌｌから二重接続性応答／失敗メッセージを受信しないと、ＳＣｅｌｌに二重接続性要求メッセージを再び送信することができる。このとき、ＰＣｅｌｌは、ＳＣｅｌｌから二重接続性応答／失敗メッセージを受信するまで二重接続性要求メッセージを反復して再送信する最大回数をあらかじめ定義することができる。
【００８３】
ＰＣｅｌｌからＲＲＣ（再）設定メッセージを受信した端末は、ＰＣｅｌｌが端末のために特定ＳＣｅｌｌを設定したことがわかる。また、端末は、ＳＣｅｌｌとの接続が非活性化（ｄｅａｃｔｉｖａｔｉｏｎ）状態で追加されたことがわかる。端末は、ＳＣｅｌｌとの接続が非活性化状態である場合、ＳＣｅｌｌのためのＣＳＩ情報を報告せず、ＰＤＣＣＨもモニタリングしない。また、端末は、ＳＣｅｌｌにＲＡＣＨ（Ｒａｎｄｏｍ  Ａｃｃｅｓｓ  ＣＨａｎｎｅｌ）、ＳＲＳ（Ｓｏｕｎｄｉｎｇ  Ｒｅｆｅｒｅｎｃｅ  Ｓｉｇｎａｌ）、ＵＬ−ＳＣＨ（ＵＬ−Ｓｈａｒｅｄ  ＣＨａｎｎｅｌ）なども送信しない。
【００８４】
次に、図８を説明する。ＰＣｅｌｌがＳＣｅｌｌのセル負荷などに関する情報をあらかじめ知っている場合には、図７で説明した二重接続性要求／応答／失敗メッセージを送受信する過程は省略されてもよい。
【００８５】
ＰＣｅｌｌは、端末から測定報告メッセージを受信し（Ｓ８１０）、受信した測定報告メッセージの測定値が既に設定されたイベントをトリガーする条件を満たす場合、ＰＣｅｌｌは、ＳＣｅｌｌが端末の二重接続性を支援すると決定する（Ｓ８２０）。すなわち、ＰＣｅｌｌは、ＳＣｅｌｌが端末と接続してサービスを提供すると決定することができる。
【００８６】
続いて、ＰＣｅｌｌは、ＳＣｅｌｌが端末を支援するために必要な情報を含む二重接続性情報メッセージ（ｄｕａｌ  ｃｏｎｎｅｃｔｉｖｉｔｙ  ｉｎｆｏｒｍａｔｉｏｎ  ｍｅｓｓａｇｅ）をＳＣｅｌｌに送信する（Ｓ８３０）。二重接続性情報メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、端末のコンテクスト関連情報、端末の測定報告値、ＰＣｅｌｌにおける端末のＩＤ（Ｃ−ＲＮＴＩ又はＵＥ Ｘ２ＡＰ ＩＤ）、端末が測定報告したＳＣｅｌｌのＣＳＩ、端末がＳＣｅｌｌに非競合ベースのランダムアクセスを行う時の指定プリアンブルに関する情報”などで構成することができる。このメッセージは、ＰＣｅｌｌとＳＣｅｌｌ間のバックホールを介して送信することができる。
【００８７】
二重接続性情報メッセージを受信したＳＣｅｌｌは、端末を支援できる場合、ＰＣｅｌｌに二重接続性応答メッセージを送信する（Ｓ８４０）。二重接続性応答メッセージは、図７で説明したものと同様に具現することができる。
【００８８】
ＰＣｅｌｌは、二重接続性情報メッセージの送信と併せて、既に設定された時間区間に該当するタイマーを設定することができる。これによって、ＰＣｅｌｌは、タイマーが満了した後にも二重接続性情報メッセージを送信したＳＣｅｌｌから二重接続性応答メッセージを受信しないと、ＳＣｅｌｌに二重接続性情報メッセージを再び送信することができる。このとき、ＰＣｅｌｌは、ＳＣｅｌｌから二重接続性応答メッセージを受信するまで二重接続性情報メッセージを反復して再送信する最大回数をあらかじめ定義することができる。
【００８９】
ＰＣｅｌｌがＳＣｅｌｌから端末の二重接続性を支援する旨の応答メッセージを受信すると、ＰＣｅｌｌはＲＲＣ（再）設定メッセージを端末に送信する（Ｓ８５０）。ＰＣｅｌｌはＲＲＣ（再）設定メッセージを用いて、ＳＣｅｌｌが端末の二重接続性を支援する旨を知らせ、端末にＳＣｅｌｌとの接続を追加する。ＲＲＣ（再）設定メッセージは、“メッセージタイプ、ＳＣｅｌｌのＩＤ（ＰＣＩＤ、ＥＣＧＩ、ＧＣＩＤ）、ＳＣｅｌｌの上り／下りリンク周波数、ＳＣｅｌｌｉｎｄｅｘ、ＳＣｅｌｌにおける端末のＣ−ＲＮＴＩ”などで構成することができる。
【００９０】
一方、端末がＰＣｅｌｌとＳＣｅｌｌにおいて異なるＣ−ＲＮＴＩを用いる場合、ＰＣｅｌｌとＳＣｅｌｌは、Ｓ８３０、Ｓ８４０でメッセージを送受信する過程で、端末に各ＣｅｌｌでいかなるＣ−ＲＮＴＩが割り当てられたか把握できる。一方、端末がＰＣｅｌｌとＳＣｅｌｌにおいて同じＣ−ＲＮＴＩを用いる場合には、前述したＲＲＣ（再）設定メッセージにおいて端末のＣ−ＲＮＴＩに関する情報は省略されてもよい。
【００９１】
ＰＣｅｌｌからＲＲＣ（再）設定メッセージを受信した端末は、ＰＣｅｌｌが端末のために特定ＳＣｅｌｌを設定したことがわかる。また、端末は、ＳＣｅｌｌとの接続が非活性化（ｄｅａｃｔｉｖａｔｉｏｎ）状態で追加されたことがわかる。端末はＳＣｅｌｌとの接続が非活性化状態である場合、ＳＣｅｌｌのためのＣＳＩ情報を報告せず、ＰＤＣＣＨもモニタリングしない。また、端末は、ＳＣｅｌｌにＲＡＣＨ（Ｒａｎｄｏｍ  Ａｃｃｅｓｓ  ＣＨａｎｎｅｌ）、ＳＲＳ（Ｓｏｕｎｄｉｎｇ  Ｒｅｆｅｒｅｎｃｅ  Ｓｉｇｎａｌ）、ＵＬ−ＳＣＨ（ＵＬ−Ｓｈａｒｅｄ  ＣＨａｎｎｅｌ）なども送信しない。
【００９２】
図９は、本発明の一実施例に係る、ＳＣｅｌｌとの接続管理方法を説明する図である。
【００９３】
従来のＬＴＥ Ｒｅｌ−８／９／１０においてＰｃｅｌｌは、端末に設定されたＳＣｅｌｌのうち非活性化状態のＳＣｅｌｌの接続を活性化することができる。ＰＣｅｌｌは端末に、ＭＡＣ制御要素を含むメッセージを送信してＳＣｅｌｌとの接続を活性化することができ、ＭＡＣ制御要素を受信した端末は、活性化されたＳＣｅｌｌとの接続を測定することができる。一方、ＰＣｅｌｌがＳＣｅｌｌとの接続を活性化する理由は、端末に設定されたＳＣｅｌｌのリソースを端末に利用させることによって、端末に対するデータ送信率（ｄａｔａ  ｒａｔｅ）を増大させるためである。
【００９４】
一方、マクロセルとスモールセルに対して二重接続性を有する端末において、上述したように、ＰＣｅｌｌとＳＣｅｌｌが互いに異なる基地局に設定されてもよい。このとき、ＰＣｅｌｌが、任意の端末に設定されたＳＣｅｌｌとの接続を活性化する場合、端末は、活性化されたＳＣｅｌｌとの接続を測定するものの、実質的に当該ＳＣｅｌｌからスケジューリングを受けないことがあり、問題となる。以下、このような問題点を解決するための方法を説明する。
【００９５】
まず、端末は、ＰＣｅｌｌによって追加されたＳＣｅｌｌからのＤＬ信号強度から、ＳＣｅｌｌとの接続を測定する。端末は、非活性化状態であるＳＣｅｌｌをモニタリングしたり又は上りリンクメッセージを送信することはなくても、図７のＳ７１０と図８のＳ８１０のように、ＳＣｅｌｌからのＤＬ信号に対する測定報告メッセージをＰＣｅｌｌに送信することができる。（Ｓ９１０）
【００９６】
次に、ＰＣｅｌｌは、端末に非活性化状態で追加されたＳＣｅｌｌとの接続を活性化するか否か決定する（Ｓ９２０）。ＰＣｅｌｌは、端末から受信した測定報告メッセージの測定値に基づいて、ＳＣｅｌｌとの接続を活性化するか否かを決定することができる。又は、ＰＣｅｌｌは、Ｓ９１０が行われなくても（すなわち、端末から測定報告メッセージが送信されなくても）、ＳＣｅｌｌとの接続が端末に追加されて所定時間が経過すると、ＳＣｅｌｌとの接続を活性化するか否かを決定することもできる。
【００９７】
端末に追加されたＳＣｅｌｌとの接続を活性化すると決定したら、ＰＣｅｌｌは端末にＳＣｅｌｌとの接続を活性化することを指示する（Ｓ９３０）。ＰＣｅｌｌは端末にＭＡＣ制御要素を送信し、非活性化状態で追加されたＳＣｅｌｌとの接続を活性化することを指示することができる。ＰＣｅｌｌからＳＣｅｌｌを活性化する旨のメッセージを受信した端末は、ＳＣｅｌｌからの制御チャネル（例えば、ＰＤＣＣＨなど）をモニタリングし、ＳＣｅｌｌのＣＳＩ情報をＰＣｅｌｌに測定報告する。また、端末はＳＣｅｌｌにＲＡＣＨ、ＳＲＳ、ＵＬ−ＳＣＨなどを送信することもできる。
【００９８】
ＰＣｅｌｌは、端末から受信した測定報告メッセージの測定値に基づいて、ＳＣｅｌｌのＰＣＩＤ（或いは、Ｇｌｏｂａｌ ｅＮＢ ＩＤ、ｅＮＢ ＩＤ、ＥＣＧＩ）とＰＣｅｌｌのＰＣＩＤ（或いは、Ｇｌｏｂａｌ ｅＮＢ ＩＤ、ｅＮＢ ＩＤ、ＥＣＧＩ）とを比較することができる。ＳＣｅｌｌとＰＣｅｌｌのＰＣＩＤ（或いは、Ｇｌｏｂａｌ ｅＮＢ ＩＤ、ｅＮＢ ＩＤ、ＥＣＧＩ）が異なる場合、すなわち、ＰＣｅｌｌが、ＳＣｅｌｌが自身と異なるネットワークポイントであることを知ると、ＰＣｅｌｌはＳＣｅｌｌにＳＣｅｌｌ活性化指示子メッセージ（ＳＣｅｌｌ  ａｃｔｉｖａｔｉｏｎ  ｉｎｄｉｃａｔｏｒ  ｍｅｓｓａｇｅ）を送信することができる（Ｓ９４０）。ＳＣｅｌｌ活性化指示子メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、ＰＣｅｌｌ（又はＳＣｅｌｌ）における端末のＩＤ（Ｃ−ＲＮＴＩ或いはＵＥ Ｘ２ＡＰ ＩＤ）、端末が測定報告したＣＳＩ、ＳＣｅｌｌｉｎｄｅｘ”などで構成することができる。このメッセージは、ＰＣｅｌｌとＳＣｅｌｌ間のバックホールを介して送信することができる。
【００９９】
ＳＣｅｌｌ活性化指示子メッセージを受信したＳＣｅｌｌは、端末との接続が活性化されたことがわかり、端末のためにスケジューリングを行うことができる。また、ＳＣｅｌｌ活性化指示子メッセージを受信したＳＣｅｌｌは、これに応答して、ＰＣｅｌｌにＳＣｅｌｌ活性化応答メッセージ（ＳＣｅｌｌ  ａｃｔｉｖａｔｉｏｎ  ｒｅｓｐｏｎｓｅ  ｍｅｓｓａｇｅ）を送信する（Ｓ９５０）。ＰＣｅｌｌからＳＣｅｌｌ活性化指示子メッセージを受信したＳＣｅｌｌが２つ以上である場合、当該メッセージを受信したＳＣｅｌｌのうち、端末にリソースを割り当てたり、端末をスケジュールできる一部又は全てのＳＣｅｌｌは、ＰＣｅｌｌにＳＣｅｌｌ活性化応答メッセージを送信することができる。一方、ＳＣｅｌｌ活性化応答メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、ＰＣｅｌｌにおける端末のＩＤ（Ｃ−ＲＮＴＩ或いはＵＥ Ｘ２ＡＰ ＩＤ）、ＳＣｅｌｌｉｎｄｅｘ”などで構成することができる。
【０１００】
一方、ＳＣｅｌｌ活性化指示子メッセージを受信したＳＣｅｌｌが端末との接続を活性化して端末にリソースを割り当てたり、端末をスケジュールできない場合、ＳＣｅｌｌはＰＣｅｌｌに、ＳＣｅｌｌ活性化失敗メッセージ（ＳＣｅｌｌ  ａｃｔｉｖａｔｉｏｎ  ｆａｉｌｕｒｅ  ｍｅｓｓａｇｅ）を送信する。ＳＣｅｌｌ活性化失敗メッセージは、“メッセージタイプ、ＰＣｅｌｌの（ＰＣＩＤ、ＥＣＧＩ、ＧＣＩＤ）、ＳＣｅｌｌの（ＰＣＩＤ、ＥＣＧＩ、ＧＣＩＤ）、ＰＣｅｌｌにおける端末のＩＤ（Ｃ−ＲＮＴＩ或いはＵＥ Ｘ２ＡＰ ＩＤ）、ＳＣｅｌｌｉｎｄｅｘ、Ｃａｕｓｅ”などで構成することができ、Ｃａｕｓｅフィールドには、ＳＣｅｌｌが端末との接続を活性化できない理由に関する情報を含めることができる。
【０１０１】
ＰＣｅｌｌは、ＳＣｅｌｌ活性化指示子メッセージの送信と併せて、既に設定された時間区間に該当するタイマーを設定することができる。これによって、ＰＣｅｌｌは、タイマーが満了した後にもＳＣｅｌｌからＳＣｅｌｌ活性化応答メッセージを受信しないと、ＳＣｅｌｌにＳＣｅｌｌ活性化指示子メッセージを再び送信することができる。このとき、ＰＣｅｌｌは、ＳＣｅｌｌからＳＣｅｌｌ活性化応答メッセージを受信するまでＳＣｅｌｌ活性化指示子メッセージを反復して再送信する最大回数をあらかじめ定義することができる。
【０１０２】
図１０は、本発明の一実施例に係る、ＳＣｅｌｌとの接続管理方法を説明する図である。図１０では、図９と重複する部分に関する具体的な説明は省略する。
【０１０３】
図９で説明した実施例では、端末がＰＣｅｌｌからＳＣｅｌｌとの接続を活性化するようとの指示を受けた後に、ＰＣｅｌｌがＳＣｅｌｌにＳＣｅｌｌ活性化指示子メッセージを送信する。このため、ＰＣｅｌｌが端末のために活性化したＳＣｅｌｌが実質的に端末を支援できない場合もある。すなわち、ＳＣｅｌｌは、端末がＳＣｅｌｌをモニタリングしたりＵＬ信号を送信する前に、ＰＣｅｌｌからＳＣｅｌｌ活性化指示子メッセージを受信する必要がある。
【０１０４】
このような問題点を解決するために、図１０に示す実施例では、ＰＣｅｌｌはＳＣｅｌｌの接続を活性化すると決定した後（Ｓ１０２０）、ＰＣｅｌｌと異なるＰＣＩＤを有するＳＣｅｌｌにＳＣｅｌｌ活性化指示子メッセージを送信する（Ｓ１０３０）。次に、ＳＣｅｌｌはＰＣｅｌｌにＳＣｅｌｌ活性化応答／失敗メッセージを送信する（Ｓ１０４０）。ＰＣｅｌｌは、ＳＣｅｌｌからＳＣｅｌｌ活性化応答メッセージを受信した後に、端末にＭＡＣ制御要素を送信してＳＣｅｌｌとの接続を活性化することができる。（Ｓ１０５０）
【０１０５】
さらに、ＳＣｅｌｌが実際に活性化される時点と端末がＳＣｅｌｌの活性化時点を知る時点との差による誤差をなくすために、ＰＣｅｌｌは、端末に送信するＭＡＣ制御要素とＳＣｅｌｌに送信するＳＣｅｌｌ活性化指示子メッセージに、ＳＣｅｌｌの活性化時点に関する情報を含めることもできる。
【０１０６】
図１１は、本発明の一実施例に係る、ＳＣｅｌｌとの接続管理方法を説明する図である。
【０１０７】
従来のＬＴＥ Ｒｅｌ−８／９／１０において、ＰＣｅｌｌは端末にＭＡＣ制御要素を送信し、活性化状態であるＳＣｅｌｌとの接続を非活性化することができる。例えば、端末がＳＣｅｌｌに対する測定報告メッセージをＰＣｅｌｌに送信する場合、ＰＣｅｌｌは、測定結果が既に設定された条件を満たす場合にＳＣｅｌｌとの接続を非活性化することができる。例えば、ＰＣｅｌｌは、ＳＣｅｌｌからの信号強度が臨界値よりも小さい場合などに、端末に設定されたＳＣｅｌｌとの接続を非活性化することができる。
【０１０８】
一方、マクロセルとスモールセルに対して二重接続性を有する端末において、上述したとおり、ＰＣｅｌｌとＳＣｅｌｌが互いに異なる基地局に設定されてもよい。このとき、ＰＣｅｌｌが任意の端末に設定されたＳＣｅｌｌとの接続を非活性化する場合、ＳＣｅｌｌは、端末との接続が非活性化されたことに気付かず、端末のためのスケジューリングを続けて行うことがある。端末は、非活性化されたＳＣｅｌｌに対しては測定（ｍｅａｓｕｒｅｍｅｎｔ）を行わず、適切なスケジューリングを受けることができないという問題が発生しうる。以下、このような問題点を解決するための方法を説明する。
【０１０９】
まず、ＰＣｅｌｌは、端末から受信した測定報告メッセージによってＳＣｅｌｌとの接続を非活性化することを決定する（Ｓ１１１０，Ｓ１１２０）。非活性化するＳＣｅｌｌのＰＣＩＤとＰＣｅｌｌのＰＣＩＤとが異なる場合、ＰＣｅｌｌはＳＣｅｌｌに、ＳＣｅｌｌ非活性化指示子メッセージ（ＳＣｅｌｌ  ｄｅａｃｔｉｖａｔｉｏｎ  ｉｎｄｉｃａｔｏｒ  ｍｅｓｓａｇｅ）を送信する（Ｓ１１３０）。ＳＣｅｌｌ非活性化指示子メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、ＰＣｅｌｌ（又はＳＣｅｌｌ）における端末のＩＤ（Ｃ−ＲＮＴＩ、ＵＥ Ｘ２ＡＰ ＩＤ）、ＳＣｅｌｌｉｎｄｅｘ”などで構成することができる。このメッセージは、ＰＣｅｌｌとＳＣｅｌｌ間のバックホールを介して送信することができる。ＳＣｅｌｌ非活性化指示子メッセージを受信したＳＣｅｌｌは、端末との接続が非活性化されたことがわかり、端末のために追加のＵＬスケジューリングを行うことを中断することができる。
【０１１０】
端末にスケジュールしたＤＬ／ＵＬデータの送受信が完了すると、ＳＣｅｌｌはＰＣｅｌｌにＳＣｅｌｌ非活性化応答メッセージ（ＳＣｅｌｌ  ｄｅａｃｔｉｖａｔｉｏｎ  ｒｅｓｐｏｎｓｅ  ｍｅｓｓａｇｅ）を送信する（Ｓ１１４０）。ＳＣｅｌｌ非活性化応答メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、ＰＣｅｌｌ（又はＳＣｅｌｌ）における端末のＩＤ（Ｃ−ＲＮＴＩ、ＵＥ Ｘ２ＡＰ ＩＤ）、ＳＣｅｌｌｉｎｄｅｘ”などで構成することができる。
【０１１１】
次に、ＳＣｅｌｌ非活性化応答メッセージを受信したＰＣｅｌｌは、ＳＣｅｌｌとの接続を非活性化することを指示するＭＡＣ制御要素を、端末に送信する（Ｓ１１５０）。非活性化を指示するＭＡＣ制御要素を受信した端末は、ＳＣｅｌｌとの接続が非活性化状態に切り替わったことがわかる。端末は、非活性化状態であるＳＣｅｌｌのＣＳＩ情報を報告せず、制御チャネルをモニタリングしたりＵＬ信号を送信したりすることもしない。
【０１１２】
一方、ＰＣｅｌｌは、ＳＣｅｌｌ非活性化指示子メッセージの送信と併せて、既に設定された時間区間に該当するタイマーを設定することができる。これによって、ＰＣｅｌｌは、タイマーが満了した後にもＳＣｅｌｌからＳＣｅｌｌ非活性化応答メッセージを受信しないと、ＳＣｅｌｌにＳＣｅｌｌ非活性化指示子メッセージを再び送信することができる。このとき、ＰＣｅｌｌは、ＳＣｅｌｌからＳＣｅｌｌ非活性化応答メッセージを受信するまでＳＣｅｌｌ非活性化指示子メッセージを反復して再送信する最大回数をあらかじめ定義することができる。
【０１１３】
さらに、ＳＣｅｌｌが実際に非活性化される時点と端末がＳＣｅｌｌの非活性化時点を知る時点との差による誤差をなくすために、ＰＣｅｌｌは、端末に送信するＭＡＣ制御要素とＳＣｅｌｌに送信するＳＣｅｌｌ非活性化指示子メッセージに、ＳＣｅｌｌの非活性化時点に関連した情報を含めることもできる。
【０１１４】
図１２は、本発明の一実施例に係る、ＳＣｅｌｌとの接続管理方法を説明する図である。図１２では、図１１と重複する部分に関する具体的な説明は省略する。
【０１１５】
図１２に示す実施例では、端末にＳＣｅｌｌ １とＳＣｅｌｌ ２が接続される。ＳＣｅｌｌ １との接続は非活性化状態であり、ＳＣｅｌｌ ２との接続は活性化状態である。ＰＣｅｌｌは、端末からの測定報告メッセージに基づいて、どのＳＣｅｌｌを活性化／非活性化するかを決定する。同図の実施例で、ＰＣｅｌｌは、ＳＣｅｌｌ １を活性化し、ＳＣｅｌｌ ２を非活性化すると決定する（Ｓ１２１０，Ｓ１２２０）。
【０１１６】
ＰＣｅｌｌは、活性化／非活性化状態を変更するＳＣｅｌｌのうち、ＰＣｅｌｌのＰＣＩＤ（或いは、Ｇｌｏｂａｌ ｅＮＢ ＩＤ、ｅＮＢ ＩＤ、ＥＣＧＩ）と異なるＰＣＩＤ（或いは、Ｇｌｏｂａｌ ｅＮＢ ＩＤ、ｅＮＢ ＩＤ、ＥＣＧＩ）を有するＳＣｅｌｌに、ＳＣｅｌｌ活性化／非活性化指示子メッセージを送信する。すなわち、ＰＣｅｌｌは、ＳＣｅｌｌ ２にＳＣｅｌｌ非活性化指示子メッセージを送信し（Ｓ１２３０）、これによって、ＳＣｅｌｌ ２は端末のためのＵＬスケジューリングを中断し、ＰＣｅｌｌにＳＣｅｌｌ非活性化応答メッセージを送信する（Ｓ１２４０）。
【０１１７】
ＰＣｅｌｌは、ＳＣｅｌｌ ２からＳＣｅｌｌ非活性化応答メッセージを受信すると、ＳＣｅｌｌ ２との接続状態を非活性化状態に変更することを指示するＭＡＣ制御要素を端末に送信する（Ｓ１２５０）。端末は、ＳＣｅｌｌ ２に対するＣＳＩ情報もＰＣｅｌｌに報告せず、ＳＣｅｌｌ ２にＵＬ信号も送信しない。
【０１１８】
次に、ＰＣｅｌｌは、ＳＣｅｌｌ １に端末との接続を活性化することを指示するＳＣｅｌｌ活性化指示子メッセージを送信する（Ｓ１２６０）。ＳＣｅｌｌ活性化指示子メッセージを受信したＳＣｅｌｌ １は、それに応答してＰＣｅｌｌにＳＣｅｌｌ活性化応答メッセージを送信し、端末に対するＵＬスケジューリングを行う（Ｓ１２７０）。
【０１１９】
ＰＣｅｌｌは端末にＳＣｅｌｌ １との接続を活性化することを指示するＭＡＣ制御要素を送信する（Ｓ１２８０）。端末は、活性化されたＳＣｅｌｌ １からの制御チャネルをモニタリングし、ＳＣｅｌｌ １に対してＵＬ信号を送信することができる。また、ＳＣｅｌｌ １は端末へのＵＬスケジューリングを行うことができる。
【０１２０】
図１３は、本発明の一実施例に係る、ＳＣｅｌｌとの接続管理方法を説明する図である。図１３では、図１１及び図１２とは違い、端末がＳＣｅｌｌを非活性化することを決定する実施例を説明する。
【０１２１】
既に設定された時間で特定ＳＣｅｌｌから端末のためのデータを受信できないと、端末は、電力消耗を縮めるための目的で、自身に接続されているとともに活性化状態であるＳＣｅｌｌとの接続を非活性化することを決定する（Ｓ１３１０）。一方、端末のためのＳＣｅｌｌの設定及び状態を管理する主体はＰＣｅｌｌであり、ＰＣｅｌｌは端末の決定について知っている必要がある。
【０１２２】
このため、端末は、ＳＣｅｌｌを非活性化すると決定したことを知らせるＳＣｅｌｌ非活性化要求メッセージ（ＳＣｅｌｌ  ｄｅａｃｔｉｖａｔｉｏｎ  ｒｅｑｕｅｓｔ  ｍｅｓｓａｇｅ）をＰＣｅｌｌに送信する（Ｓ１３２０）。ＳＣｅｌｌ非活性化要求メッセージは、“メッセージタイプ、Ｐｃｅｌｌ ＩＤ（ＰＣＩＤ、ＥＣＧＩ、ＧＣＩＤ）、ＳＣｅｌｌ ＩＤ（ＰＣＩＤ、ＥＣＧＩ、ＧＣＩＤ）、ＳＣｅｌｌｉｎｄｅｘ”などで構成することができる。このメッセージは、ＲＲＣ信号を用いて送信することができる。
【０１２３】
ＰＣｅｌｌは、端末からＳＣｅｌｌ非活性化要求メッセージを受信すると、要求メッセージで指示されたＳＣｅｌｌに、ＳＣｅｌｌ非活性化指示子メッセージを送信する（Ｓ１３３０）。ＳＣｅｌｌ非活性化指示子メッセージは、図１１及び図１２で説明した実施例と同様に具現することができる。
【０１２４】
次に、ＳＣｅｌｌ非活性化指示子メッセージを受信したＳＣｅｌｌは、ＰＣｅｌｌからのメッセージを受信したことを知らせるＳＣｅｌｌ非活性化応答メッセージをＰＣｅｌｌに送信する（Ｓ１３４０）。一方、ＳＣｅｌｌは、端末のためにスケジュールされていたデータの送信及び受信を完了すると、ＳＣｅｌｌ非活性化応答メッセージを送信することができる。ＳＣｅｌｌ非活性化応答メッセージは、図１１及び図１２で説明した実施例と同様に具現することができる。
【０１２５】
ＳＣｅｌｌからＳＣｅｌｌ非活性化応答メッセージを受信したＰＣｅｌｌは、ＳＣｅｌｌとの接続を非活性化することを指示するＭＡＣ制御要素を端末に送信する（Ｓ１３５０）。ＭＡＣ制御要素を受信した端末は、ＳＣｅｌｌとの接続が非活性化されたことがわかり、ＵＬ信号も送信せず、ＳＣｅｌｌに関する情報も報告しない。
【０１２６】
さらに、ＳＣｅｌｌが実際に非活性化される時点と端末がＳＣｅｌｌの非活性化時点を知る時点との差による誤差をなくすために、ＰＣｅｌｌは、端末に送信するＭＡＣ制御要素とＳＣｅｌｌに送信するＳＣｅｌｌ非活性化指示子メッセージに、ＳＣｅｌｌの非活性化時点に関する情報を含めることもできる。
【０１２７】
図１４は、本発明の一実施例に係る、ＳＣｅｌｌとの接続管理方法を説明する図である。図１４では、図１１、図１２及び図１３とは違い、ＳＣｅｌｌが自分で非活性化することを決定する実施例を説明する。
【０１２８】
ＳＣｅｌｌは、既に設定された時間で端末のためのデータを送信しない場合、ＳＣｅｌｌとの接続を非活性化することを決定する（Ｓ１４１０）。ＳＣｅｌｌは、端末とＳＣｅｌｌとの接続を非活性化することによって、端末がＳＣｅｌｌをモニタリングしないようにし、端末の電力消耗を減らすことができる。
【０１２９】
一方、端末とＳＣｅｌｌ間の設定と状態を管理するＰＣｅｌｌは、このようなＳＣｅｌｌの決定を知っていなければならない。例えば、ＰＣｅｌｌが端末のためにＳＣｅｌｌとの接続を活性化しようとする場合、ＰＣｅｌｌはＳＣｅｌｌの状態をあらかじめ知っている必要がある。このため、ＳＣｅｌｌはＰＣｅｌｌに、端末との接続を非活性化すると決定したことを知らせるＳＣｅｌｌ非活性化指示子メッセージを送信する（Ｓ１４２０）。
【０１３０】
ＳＣｅｌｌ非活性化指示子メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、ＰＣｅｌｌ（又はＳＣｅｌｌ）における端末のＩＤ（Ｃ−ＲＮＴＩ、ＵＥ Ｘ２ＡＰ ＩＤ）、ＳＣｅｌｌｉｎｄｅｘ”などで構成することができる。このメッセージは、ＰＣｅｌｌとＳＣｅｌｌ間のバックホールを介して送信することができる。一方、図１４におけるＳＣｅｌｌ非活性化指示子メッセージは、メッセージを送信／受信する対象が異なる以外は、図１１乃至図１３のそれと同様に具現することができる。
【０１３１】
ＳＣｅｌｌからＳＣｅｌｌ非活性化指示子メッセージを受信したＰＣｅｌｌは、ＳＣｅｌｌにメッセージを受信したことを知らせるＳＣｅｌｌ非活性化応答メッセージを送信する（Ｓ１４３０）。続いて、ＰＣｅｌｌは端末に、ＳＣｅｌｌとの接続を非活性化することを指示するＭＡＣ制御要素を送信する（Ｓ１４４０）。端末は、ＰＣｅｌｌから受信したＭＡＣ制御要素から、ＳＣｅｌｌとの接続が非活性化されたことがわかる。
【０１３２】
さらに、ＳＣｅｌｌが実際に非活性化される時点と端末がＳＣｅｌｌの非活性化時点を知る時点との差による誤差をなくす必要がある。このため、ＳＣｅｌｌは、ＳＣｅｌｌ非活性化指示子メッセージにＳＣｅｌｌ非活性化時点に関する情報を含めて送信することができる。ＰＣｅｌｌも、端末に送信するＭＡＣ制御要素にＳＣｅｌｌの非活性化時点に関する情報を含めることができる。
【０１３３】
図１５は、本発明の一実施例に係る、ＳＣｅｌｌとの接続管理方法を説明する図である。図１５では、ＰＣｅｌｌの決定によって端末がＳＣｅｌｌとの接続を解除する実施例を、図１６では、ＳＣｅｌｌの決定によって端末がＳＣｅｌｌとの接続を解除する実施例を、それぞれ説明する。
【０１３４】
従来のＬＴＥ Ｒｅｌ−８／９／１０において、ＰＣｅｌｌは任意の端末にＲＲＣ（再）設定メッセージを送信して特定ＳＣｅｌｌとの接続を解除（ｒｅｌｅａｓｅ）する。例えば、ＰＣｅｌｌは、端末から測定報告メッセージを受信し、測定値が既に設定された条件を満たすと、ＳＣｅｌｌとの接続を解除することができる（例えば、ＳＣｅｌｌの信号強度が臨界値未満である場合など）。一方、ＳＣｅｌｌは、端末との接続を解除することが指示されると、活性化状態を非活性化状態に切り替えてから解除することもでき、非活性化状態で直ちに接続を解除することもできる。
【０１３５】
一方、マクロセルとスモールセルに対して二重接続性を有する端末において、上述したとおり、ＰＣｅｌｌとＳＣｅｌｌが互いに異なる基地局に設定されてもよい。このとき、ＰＣｅｌｌが任意の端末に設定されたＳＣｅｌｌとの接続を解除する場合、ＳＣｅｌｌは、自身の接続がＰＣｅｌｌによって解除されたことに気付かず、端末のためのスケジューリングを続けることがあり、問題となる。以下、このような問題点を解決するための方法を説明する。
【０１３６】
端末からＳＣｅｌｌに対する測定報告メッセージを受信すると（Ｓ１５１０）、ＰＣｅｌｌは、測定値が既に設定された条件を満たす場合、端末とＳＣｅｌｌとの接続を解除することを決定する（Ｓ１５２０）。一方、ＳＣｅｌｌとの接続が解除されるということは、ＳＣｅｌｌがそれ以上端末の二重接続性を支援しないということを意味できる。
【０１３７】
ＰＣｅｌｌは、接続を解除するＳＣｅｌｌのＰＣＩＤ（或いは、Ｇｌｏｂａｌ ｅＮＢ ＩＤ、ｅＮＢ ＩＤ、ＥＣＧＩ）とＰＣｅｌｌのＰＣＩＤ（或いは、Ｇｌｏｂａｌ ｅＮＢ ＩＤ、ｅＮＢ ＩＤ、ＥＣＧＩ）とが異なる場合、ＳＣｅｌｌにＳＣｅｌｌ解除指示子メッセージ（ＳＣｅｌｌ  ｒｅｌｅａｓｅ  ｉｎｄｉｃａｔｏｒ  ｍｅｓｓａｇｅ）を送信する（Ｓ１５３０）。ＳＣｅｌｌ解除指示子メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、ＰＣｅｌｌ（又はＳＣｅｌｌ）における端末のＩＤ（Ｃ−ＲＮＴＩ、ＵＥ Ｘ２ＡＰ ＩＤ）、ＳＣｅｌｌｉｎｄｅｘ”などで構成することができる。
【０１３８】
ＳＣｅｌｌ解除指示子メッセージを受信したＳＣｅｌｌは、端末との接続が解除されたことがわかり、端末に対する追加のＵＬスケジューリングを中断する。また、ＳＣｅｌｌは、端末に関するコンテクスト情報を他のＳＣｅｌｌ又はＰＣｅｌｌに伝達することもできる。ＳＣｅｌｌは、既存にスケジュールした端末とのＤＬ／ＵＬデータ送受信が完了すると、ＰＣｅｌｌにＳＣｅｌｌ解除応答メッセージを送信する（Ｓ１５４０）。ＳＣｅｌｌ解除応答メッセージは、“メッセージタイプ、ＰＣｅｌｌのＩＤ（ＰＣＩＤ、ＥＣＧＩ、ＧＣＩＤ）、ＳＣｅｌｌのＩＤ（ＰＣＩＤ、ＥＣＧＩ、ＧＣＩＤ）、ＰＣｅｌｌ（又はＳＣｅｌｌ）における端末のＩＤ（Ｃ−ＲＮＴＩ、ＵＥ Ｘ２ＡＰ ＩＤ）、ＳＣｅｌｌｉｎｄｅｘ”などで構成することができる。
【０１３９】
ＰＣｅｌｌは、ＳＣｅｌｌ解除指示子メッセージの送信と併せて、既に設定された時間区間に該当するタイマーを設定することができる。これによって、ＰＣｅｌｌは、タイマーが満了した後にもＳＣｅｌｌ解除指示子メッセージを送信したＳＣｅｌｌからＳＣｅｌｌ解除応答メッセージを受信しないと、ＳＣｅｌｌにＳＣｅｌｌ解除指示子メッセージを再び送信することができる。このとき、ＰＣｅｌｌは、ＳＣｅｌｌからＳＣｅｌｌ解除応答メッセージを受信するまでＳＣｅｌｌ解除指示子メッセージを反復して再送信する最大回数をあらかじめ定義することができる。
【０１４０】
ＰＣｅｌｌは、ＳＣｅｌｌからＳＣｅｌｌ解除応答メッセージを受信すると、端末にＲＲＣ（再）設定信号を送信して端末とＳＣｅｌｌとの接続を解除する（Ｓ１５５０）。ＲＲＣ（再）設定メッセージは、“メッセージタイプ、ＳＣｅｌｌのＩＤ（ＰＣＩＤ、ＥＣＧＩ、ＧＣＩＤ）、ＰＣｅｌｌのＩＤ（ＰＣＩＤ、ＥＣＧＩ、ＧＣＩＤ）、ＳＣｅｌｌの上り／下りリンク周波数、ＳＣｅｌｌｉｎｄｅｘ”などで構成することができる。
【０１４１】
ＳＣｅｌｌとの接続を解除することが指示された端末は、ＳＣｅｌｌとの接続が解除されたことがわかり、ＳＣｅｌｌから分離（ｄｅｔａｃｈ）することができる。ＳＣｅｌｌ又はＰＣｅｌｌは、端末に分離要求メッセージ（ｄｅｔａｃｈ  ｒｅｑｕｅｓｔ  ｍｅｓｓａｇｅ）を送信することもできる。
【０１４２】
図１６は、本発明の一実施例に係る、ＳＣｅｌｌとの接続管理方法を説明する図である。図１６で、図１５と重複する部分に関する具体的な説明は省略する。
【０１４３】
活性化されたＳＣｅｌｌは、既に設定された時間で端末のためのデータが送受信されない場合、端末とＳＣｅｌｌのリソース管理のために端末との接続を解除すると決定する（Ｓ１６１０）。一方、端末とＳＣｅｌｌ間の設定及び状態を管理するＰＣｅｌｌは、このような情報を知る必要がある。例えば、ＰＣｅｌｌは、既に端末との接続が解除されたＳＣｅｌｌを端末に対して活性化しうるため、ＳＣｅｌｌの解除に関する情報をあらかじめ知る必要がある。
【０１４４】
このため、ＳＣｅｌｌはＰＣｅｌｌにＳＣｅｌｌ解除指示子メッセージ（ＳＣｅｌｌ  ｒｅｌｅａｓｅ  ｉｎｄｉｃａｔｏｒ  ｍｅｓｓａｇｅ）を送信する（Ｓ１６２０）。ＳＣｅｌｌ解除指示子メッセージは、メッセージが送受信される対象が逆である以外は、図１５で説明した内容と同様に具現することができる。ＳＣｅｌｌからＳＣｅｌｌ解除指示子メッセージを受信したＰＣｅｌｌは、ＳＣｅｌｌにＳＣｅｌｌ解除応答メッセージを送信する（Ｓ１６３０）。次に、ＳＣｅｌｌは、端末のための追加のスケジューリングを中断し、端末に関するコンテクスト情報を伝達することもできる。
【０１４５】
一方、ＰＣｅｌｌはＳＣｅｌｌからＳＣｅｌｌ解除指示子メッセージを受信すると、端末にＲＲＣ（再）設定メッセージを送信する（Ｓ１６４０）。ＲＲＣ（再）設定メッセージは、“メッセージタイプ、ＳＣｅｌｌのＩＤ（ＰＣＩＤ、ＥＣＧＩ、ＧＣＩＤ）、ＰＣｅｌｌのＩＤ（ＰＣＩＤ、ＥＣＧＩ、ＧＣＩＤ）、ＳＣｅｌｌの下り／上りリンク周波数、ＳＣｅｌｌｉｎｄｅｘ”などで構成することができる。ＲＲＣ（再）設定メッセージを受信した端末は、ＳＣｅｌｌとの接続が解除されたことを認知し、ＳＣｅｌｌとの接続を分離することができる。
【０１４６】
４．装置構成
図１７は、本発明の一実施例に係る端末及び基地局の構成を示すブロック図である。
【０１４７】
図１７で、端末１００及び基地局２００はそれぞれ、無線周波数（ＲＦ）ユニット１１０，２１０、プロセッサ１２０，２２０、及びメモリ１３０，２３０を備えることができる。図１７では、端末１００と基地局２００の１：１通信環境を示しているが、複数の端末と基地局２００による通信環境が構築されてもよい。また、図１７に示す基地局２００は、マクロセル基地局にも、スモールセル基地局にも適用可能である。
【０１４８】
各ＲＦユニット１１０，２１０はそれぞれ、送信部１１２，２１２及び受信部１１４，２１４を備えることができる。端末１００の送信部１１２及び受信部１１４は、基地局２００及び他の端末と信号を送信及び受信するように構成し、プロセッサ１２０は、送信部１１２及び受信部１１４と機能的に接続して送信部１１２及び受信部１１４が他の機器と信号を送受信する過程を制御するように構成することができる。また、プロセッサ１２０は、送信する信号に対する各種処理を行った後に送信部１１２に送信し、受信部１１４に受信した信号の処理も行う。
【０１４９】
必要な場合、プロセッサ１２０は、交換されたメッセージに含まれた情報をメモリ１３０に記憶させることができる。このような構造により、端末１００は、以上で説明した本発明の様々な実施の形態の方法を実行することができる。
【０１５０】
基地局２００の送信部２１２及び受信部２１４は、他の基地局及び端末と信号を送信及び受信するように構成し、プロセッサ２２０は、送信部２１２及び受信部２１４と機能的に接続して送信部２１２及び受信部２１４が他の機器と信号を送受信する過程を制御するように構成することができる。また、プロセッサ２２０は、送信する信号に対する各種処理を行った後に送信部２１２に送信し、受信部２１４に受信した信号の処理も行うことができる。必要な場合、プロセッサ２２０は、交換されたメッセージに含まれた情報をメモリ２３０に記憶させることができる。このような構造により、基地局２００は、前述した様々な実施の形態の方法を実行することができる。
【０１５１】
端末１００及び基地局２００のプロセッサ１２０，２２０はそれぞれ、端末１００及び基地局２００における動作を指示（例えば、制御、調整、管理など）する。それぞれのプロセッサ１２０，２２０は、プログラムコード及びデータを記憶するメモリ１３０，２３０と接続することができる。メモリ１３０，２３０は、プロセッサ１２０，２２０に接続してオペレーティングシステム、アプリケーション、及び一般ファイル（ｇｅｎｅｒａｌ  ｆｉｌｅｓ）を記憶する。
【０１５２】
本発明のプロセッサ１２０，２２０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ１２０，２２０は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明の実施例を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ１２０，２２０に具備することができる。
【０１５３】
一方、上述した方法は、コンピュータで実行可能なプログラムとして作成することができ、コンピュータ読み取り可能媒体を用いて上記プログラムを動作させる汎用デジタルコンピュータによって具現することができる。また、上述した方法で用いられたデータの構造は、コンピュータ読み取り可能媒体に様々な手段を用いて書き込むことができる。本発明の様々な方法を実行するための実行可能なコンピュータコードを記憶する記憶デバイスを説明するために利用できるプログラム格納デバイスは、搬送波（ｃａｒｒｉｅｒ  ｗａｖｅｓ）や信号などのように一時的な対象は含まないものと理解しなければならない。上記コンピュータ読み取り可能媒体は、マグネチック記憶媒体（例えば、ＲＯＭ、フロッピーディスク、ハードディスクなど）、光学的読み取り媒体（例えば、ＣＤ−ＲＯＭ、ＤＶＤなど）のような記録媒体を含む。
【０１５４】
本願発明の実施例に係る技術の分野における通常の知識を有する者は、上記に記載の本質的な特性から逸脱しない範囲で変形された形態も可能であることが理解できる。したがって、開示された方法は、限定的な観点ではなく説明的な観点で考慮されなければならない。本発明の範囲は、発明の詳細な説明ではなく特許請求の範囲に表され、これと同等な範囲内における差異点はいずれも本発明の範囲に含まれるものと解釈しなければならない。
【産業上の利用可能性】
【０１５５】
上述したような本発明の実施の形態は、様々な移動通信システムに適用することができる。
【図１】
2016518066.tif 000003
【図２】
2016518066.tif 000004
【図３】
2016518066.tif 000005
【図４】
2016518066.tif 000006
【図５】
2016518066.tif 000007
【図６】
2016518066.tif 000008
【図７】
2016518066.tif 000009
【図８】
2016518066.tif 000010
【図９】
2016518066.tif 000011
【図１０】
2016518066.tif 000012
【図１１】
2016518066.tif 000013
【図１２】
2016518066.tif 000014
【図１３】
2016518066.tif 000015
【図１４】
2016518066.tif 000016
【図１５】
2016518066.tif 000017
【図１６】
2016518066.tif 000018
【図１７】
2016518066.tif 000019
【国際調査報告】
2016518066.tif 000020
2016518066.tif 000021
2016518066.tif 000022
2016518066.tif 000023